(57)【特許請求の範囲】
【請求項１】
複数の異なる色のサブ画素が配置されている表示部と、
前記表示部に積層され、前記表示部からの光線の方向を制御する光学素子と
を備え、
少なくとも前記表示部の横方向または縦方向である第一の方向において、前記サブ画素の全色の繰り返しがあり、近接する同色のサブ画素同士の距離がほぼ同一となる位置に前記サブ画素が配置され、
前記表示部は、前記第一の方向と直交する第二の方向に互いに隣接して配置された複数のサブ画素列を有し、
前記複数のサブ画素列の各々には、互いに異なる色を表示する４つのサブ画素が同じ順番で前記第一の方向に繰り返し並べて配置され、
前記複数のサブ画素列は、前記４つのサブ画素の位置を前記第一の方向に２サブ画素分ずつずらしながら前記第二の方向に並べて配置され、
前記光学素子は、前記表示部からの光線を所定の方向へ通過させる複数の開口部を備え、
１つの開口部の前記第一の方向の幅は、１または複数個のサブ画素の大きさとされ、
前記複数の開口部が前記第一の方向に１サブ画素分だけ位置をずらしながら前記第二の方向に並べて配置されることにより、前記複数の開口部がステップ状に配置されている
表示装置。
【請求項２】
スペーサが、同色の前記サブ画素が配置されている方向と同一方向に配置されている
請求項１に記載の表示装置。
【請求項３】
ステップ状に配置された前記複数の開口部によって、一つのスリットが形成され、
前記スリットに、前記スペーサが均等に配置されている
請求項２に記載の表示装置。
【請求項４】
前記表示部の画素は、デュアルドメイン構造で配置されている
請求項１に記載の表示装置。
【請求項５】
複数の異なる色のサブ画素が配置されている表示部と、
前記表示部に積層され、前記表示部からの光線の方向を制御する光学素子と
を備え、
少なくとも前記表示部の横方向または縦方向である第一の方向において、前記サブ画素の全色の繰り返しがあり、近接する同色のサブ画素同士の距離がほぼ同一となる位置に前記サブ画素が配置され、
前記表示部は、前記第一の方向と直交する第二の方向に互いに隣接して配置された複数のサブ画素列を有し、
前記複数のサブ画素列の各々には、互いに異なる色を表示する４つのサブ画素が同じ順番で前記第一の方向に繰り返し並べて配置され、
前記複数のサブ画素列は、前記４つのサブ画素の位置を前記第一の方向に２サブ画素分ずつずらしながら前記第二の方向に並べて配置され、
前記光学素子は、前記表示部からの光線を所定の方向へ通過させる複数の開口部を備え、
１つの開口部の前記第一の方向の幅は、１または複数個のサブ画素の大きさとされ、
前記複数の開口部が前記第一の方向に１サブ画素分だけ位置をずらしながら前記第二の方向に並べて配置されることにより、前記複数の開口部がステップ状に配置されている
電子装置。
【発明の詳細な説明】
【技術分野】
【０００１】
本技術は、表示装置、電子装置に関する。詳しくは、２Ｄ画像、３Ｄ画像、多視点画像、共に画質の劣化することなく提供できるようにする表示装置、電子装置に関する。
【背景技術】
【０００２】
近年、映像を立体像的に視認できる３次元（３Ｄ）映像コンテンツが注目されている。３次元映像の鑑賞方式としては、視差を設けた左眼用映像と右眼用映像を鑑賞者に鑑賞させる両眼視差方式が普及しつつある。この両眼視差方式には、メガネを用いるメガネ方式とメガネを用いない裸眼方式の大きく２種類の方式が挙げられる。
【０００３】
裸眼方式には、レンチキュラースクリーン方式、パララックスバリア方式などがある。レンチキュラースクリーン方式は、かまぼこ型の細かなレンズ（レンチキュラーレンズ）を配置させることによって左眼用映像と右眼用映像の光路を分離する方式である。パララックスバリア方式は、縦のスリット（パララックスバリア）により左眼用映像と右眼用映像の光路を分離する方式である。
【０００４】
このように、裸眼３Ｄ表示の手法は、バリア方式、レンズ方式などが主流である。これらの方式の場合、表示装置の前にバリアやレンズなどが配置され、光の方向が制御され、２視差の３Ｄなら表示装置の画素が、右眼用と左眼用に振り分けられる。また、多視差なら、１視差・２視差・３視差・・・と視点位置に応じて、表示装置の画素が振り分けられる。
【０００５】
その際、ＲＧＢ色配置によっては、観察位置によって、見える画素の色が偏り、画が色付くことがある。そのような色付きを防止するために特許文献１では、色の偏りをなくして、３Ｄ画像における色付きを防止することが提案されている。
【先行技術文献】
【特許文献】
【０００６】
【特許文献１】特開2007−183611号公報
【発明の概要】
【発明が解決しようとする課題】
【０００７】
特許文献１では、色の偏りをなくして、３Ｄ画像における色付きを防止することが提案されているが、画素の偏り、例えば、所定の色が局在的に配置されているために色の偏りなどがあるために、２Ｄ画像においてはむしろ画質が劣化する可能性がある。近年、同一の表示装置で、２Ｄ画像と３Ｄ画像を提供できる装置が普及しつつあり、２Ｄ画像と３Ｄ画像の両方とも、画質が向上することが望まれている。
【０００８】
本技術は、このような状況に鑑みてなされたものであり、２Ｄ画像で画質がよく、かつ３Ｄ画像で色つきがない画像を提供することができるようにするものである。
【課題を解決するための手段】
【０００９】
本技術の一側面の表示装置は、複数の異なる色のサブ画素から構成される画素が配置されている表示部と、前記表示部に積層され、前記表示部からの光線の方向を制御する光学素子とを備え、前記表示部の横方向または縦方向の少なくとも一方向において、前記サブ画素の全色の繰り返しがあり、近接する同色のサブ画素同士の距離がほぼ同一となる位置に前記サブ画素が配置されている。
具体的には、本技術の一側面の表示装置は、複数の異なる色のサブ画素が配置されている表示部と、前記表示部に積層され、前記表示部からの光線の方向を制御する光学素子とを備え、少なくとも前記表示部の横方向または縦方向である第一の方向において、前記サブ画素の全色の繰り返しがあり、近接する同色のサブ画素同士の距離がほぼ同一となる位置に前記サブ画素が配置され、前記表示部は、前記第一の方向と直交する第二の方向に互いに隣接して配置された複数のサブ画素列を有し、前記複数のサブ画素列の各々には、互いに異なる色を表示する４つのサブ画素が同じ順番で前記第一の方向に繰り返し並べて配置され、前記複数のサブ画素列は、前記４つのサブ画素の位置を前記第一の方向に２サブ画素分ずつずらしながら前記第二の方向に並べて配置され、前記光学素子は、前記表示部からの光線を所定の方向へ通過させる複数の開口部を備え、１つの開口部の前記第一の方向の幅は、１または複数個のサブ画素の大きさとされ、前記複数の開口部が前記第一の方向に１サブ画素分だけ位置をずらしながら前記第二の方向に並べて配置されることにより、前記複数の開口部がステップ状に配置されている。
【００１０】
前記画素は、２×２で配置された４色のサブ画素から構成され、前記画素単位で、行毎にサブ画素分だけずれた位置に配置されているようにすることができる。
【００１１】
前記光学素子は、前記表示部からの光線を所定の方向へ通過させる開口部を備え、前記開口部は、前記サブ画素とほぼ同一の幅または前記サブ画素のほぼ整数倍の幅を有する縦、横、または斜め方向の直線形状であるようにすることができる。
【００１２】
前記表示部の縦方向において、前記サブ画素の全色の繰り返しがある場合、前記サブ画素の配置は、隣り合う列で異なるようにすることができる。
【００１３】
同色のサブ画素が、左斜め方向、または右斜め方向に連続的に配置されているようにすることができる。
【００１４】
前記画素は、２×２で配置された４色のサブ画素から構成され、前記画素内で、前記サブ画素の色の配置が異なる第１の画素と第２の画素があり、前記第１の画素と前記第２の画素は、それぞれ、縦方向に配置され、横方向に交互に配置されているようにすることができる。
【００１５】
１画素を構成するサブ画素が、左斜め方向、または右斜め方向に連続的に配置されているようにすることができる。
【００１６】
前記光学素子は、前記表示部からの光線を所定の方向へ通過させる開口部を備え、前記開口部は、ステップ形状であり、１つの開口部は、１または複数個のサブ画素の大きさとされているようにすることができる。
【００１７】
スペーサが、同色の前記サブ画素が配置されている方向と同一方向に配置されているようにすることができる。
【００１８】
前記光学素子は、前記表示部からの光線を所定の方向へ通過させる開口部を備え、前記開口部に、前記スペーサが均等に配置されているようにすることができる。
具体的には、ステップ状に配置された前記複数の開口部によって、一つのスリットが形成され、前記スリットに、前記スペーサが均等に配置されているようにすることができる。
【００１９】
前記表示部の画素は、デュアルドメイン構造で配置されているようにすることができる。
【００２０】
本技術の一側面の電子装置は、複数の異なる色のサブ画素から構成される画素が配置されている表示部と、前記表示部に積層され、前記表示部からの光線の方向を制御する光学素子とを備え、前記表示部の横方向または縦方向の少なくとも一方向において、前記サブ画素の全色の繰り返しがあり、近接する同色のサブ画素同士の距離がほぼ同一となる位置に前記サブ画素が配置されている。
具体的には、本技術の一側面の電子装置は、複数の異なる色のサブ画素が配置されている表示部と、前記表示部に積層され、前記表示部からの光線の方向を制御する光学素子とを備え、少なくとも前記表示部の横方向または縦方向である第一の方向において、前記サブ画素の全色の繰り返しがあり、近接する同色のサブ画素同士の距離がほぼ同一となる位置に前記サブ画素が配置され、前記表示部は、前記第一の方向と直交する第二の方向に互いに隣接して配置された複数のサブ画素列を有し、前記複数のサブ画素列の各々には、互いに異なる色を表示する４つのサブ画素が同じ順番で前記第一の方向に繰り返し並べて配置され、前記複数のサブ画素列は、前記４つのサブ画素の位置を前記第一の方向に２サブ画素分ずつずらしながら前記第二の方向に並べて配置され、前記光学素子は、前記表示部からの光線を所定の方向へ通過させる複数の開口部を備え、１つの開口部の前記第一の方向の幅は、１または複数個のサブ画素の大きさとされ、前記複数の開口部が前記第一の方向に１サブ画素分だけ位置をずらしながら前記第二の方向に並べて配置されることにより、前記複数の開口部がステップ状に配置されている。
【００２１】
本技術の一側面の表示装置、電子機器においては、複数の異なる色のサブ画素から構成される画素が配置されている表示部と、表示部に積層され、表示部からの光線の方向を制御する光学素子とから構成される。また表示部の横方向または縦方向の少なくとも一方向において、サブ画素の全色の繰り返しがあり、近接する同色のサブ画素同士の距離がほぼ同一となる位置にサブ画素が配置されている。
【発明の効果】
【００２２】
本技術の一側面によれば、２Ｄ画像で画質がよく、かつ３Ｄ画像で色つきがない画像を提供することが可能となる。
【図面の簡単な説明】
【００２３】
【図１】表示装置の構成を示す図である。
【図２】パララックスバリア方式について説明するための図である。
【図３】視点について説明するための図である。
【図４】サブ画素の配置とバリアの関係について説明するための図である。
【図５】サブ画素の配置とバリアの関係について説明するための図である。
【図６】サブ画素の配置とバリアの関係について説明するための図である。
【図７】サブ画素の配置とバリアの関係について説明するための図である。
【図８】サブ画素の配置について説明するための図である。
【図９】サブ画素の配置について説明するための図である。
【図１０】サブ画素の配置について説明するための図である。
【図１１】サブ画素の配置について説明するための図である。
【図１２】サブ画素の配置とバリアの関係について説明するための図である。
【図１３】サブ画素の配置とバリアの関係について説明するための図である。
【図１４】サブ画素の配置について説明するための図である。
【図１５】サブ画素の配置とバリアの関係について説明するための図である。
【図１６】サブ画素の配置とバリアの関係について説明するための図である。
【図１７】サブ画素の配置とバリアの関係について説明するための図である。
【図１８】デュアルドメイン構造のサブ画素の配置について説明するための図である。
【図１９】表示装置について説明するための図である。
【発明を実施するための形態】
【００２４】
以下に、本技術の実施の形態について図面を参照して説明する。
【００２５】
以下に説明する本技術は、立体像を表示する装置に適用できる。立体像は、動画像、静止画像のどちらであっても良い。また、本実施の形態においては、裸眼で視聴したときに、立体像を提供する表示装置を例に挙げて説明する。また、裸眼で立体像を提供する方法として、以下の説明ではパララックスバリア方式（以下、適宜、バリア方式と記述する）を例に挙げて説明を行う。
【００２６】
なお、パララックスバリア以外の方式、例えば、レンチキュラースクリーンを用いた方式などにも、以下に説明する本実施の形態を適用することができる。また、バリアについては、遮光バリアだけでなく、液晶などを用い、スイッチングにより視点を生み出す方式、液晶レンズなどにも、以下に説明する本技術を適用することはできる。
【００２７】
すなわち、本技術は、光の振り分けを行うことで、２画面表示（多視点の表示）や立体表示などを行う装置に適用することができる。
【００２８】
図１は、表示装置１０の立体像を表示する表示部の詳細な構成を示す図である。表示装置１０は、画像や映像などを表示する表示部１１と、その表示部１１に観測者側に設けられた視差バリア１２から構成される。すなわち、表示部１１と同形状のパララックスバリア（視差バリア）１２が、表示部１１の表示面に装着されている。
【００２９】
視差バリア１２は、所定の形状のスリットを有する。観測者は、表示部１１に表示された画像を、視差バリア１２を介して視聴する。表示部１１には、所定の視位置から見たときの左目から見た像を表示する左目用画素と、右目から見た像を表示する右目用画素とが交互に配置されている。なおここでは、主に、観測者に立体像を提供する場合を例に挙げて説明するが、複数の観測者に異なる画像を提供する、換言すれば多視点の画像を提供する際にも本技術は適用できるため、適宜、多視点の場合を例に挙げて説明する。
【００３０】
［パララックスバリア方式について］
ここで、パララックスバリア方式について説明を加える。図２は、４視点について説明するための図である。４視点とは、図２において、視点Ｐ１、視点Ｐ２、視点Ｐ３、視点Ｐ４のことである。４視点のそれぞれの視点において、被視物体５１の見え方は異なる。表示部１１には、それぞれの視点における映像が表示される。
【００３１】
図２に示した４視点のうち、視点Ｐ１を左目の視点とした場合、視点３が右目の視点となる。よって、通常、人は左目と右目で同一の物体（この場合、被視物体５１）を見るので、映像としては、視点Ｐ１から見たときの映像と、視点Ｐ３から見たときの映像が、観測者に提供されることが好ましい。同じく、図２に示した４視点のうち、視点Ｐ２を左目の視点とした場合、視点４が右目の視点となる。よってこの場合、映像としては、視点Ｐ２から見たときの映像と、視点Ｐ４から見たときの映像が、観測者に提供されることが好ましい。
【００３２】
このように、複数の視点の映像が観測者に提供される場合、同時に観測者が視聴する映像の組み合わせは重要であり、観測者に正しい組み合わせの映像が視聴されるように、表示部１１と視差バリア１２により制御が行われる。表示部１１には、視差バリア１２の開口部に依存するが、視差バリア１２の開口部が直線形状である場合、視点の数に応じた視差像が、上下方向に長く切って交互に並べられる。図２，図３においては、表示部１１などを上から見た場合を例示する。視差バリア１２は、図３に示すように表示部１２の手前側（観測者側）に設置されている。
【００３３】
図３を参照するに、正しい視位置に観測者の視点がある場合、左目が視点Ｐ１の位置にあると、視差像１が左目から見え、右目が視点Ｐ３の位置にあると、視差像３が右目から見える。また、複数の観測者に異なる画像を提供する多画面の場合、観測者１に視差像１が供給され、観測者２に視差像２が供給され、観測者３に視差像３が供給され、観測者４に視差像４が供給されるようにすれば、異なる観測者に異なる画像（映像）を供給することができる。
【００３４】
なお、図３では４視点の場合を例にあげているが、他の視点数、例えば、６以上の視点数が設けられることもある。立体像を多視点に供給するときなどに視点数が多い場合がある。なおここでは、そのような立体図を多視点に供給することについて例示しないが、そのような場合においても、以下に説明する本技術を適用できる。
【００３５】
なお、以下の説明では、ひとりの観測者に３次元画像を提供する場合を例にあげて説明するが、多画面や多視点といった複数の観測者に２次元画像を提供する場合や、３次元画像を提供する場合においても、本技術は適用できる。
【００３６】
［画素の配置について］
本実施の形態の表示部１１は、Ｒ（赤）、Ｇ（緑）、Ｂ（青）、Ｗ（白）の各色光を出力する４個のサブ画素で１個の画素を構成する表示装置に適用できる。ここで、表示を構成する最小単位となる表示領域を「サブ画素」、一組（Ｒ、Ｇ、Ｂ、Ｗ）のサブ画素から構成される表示領域を「画素」と称する。
【００３７】
なお、ここでは、Ｒ（赤）、Ｇ（緑）、Ｂ（青）、Ｗ（白）の４個のサブ画素で１画素が構成される場合を例に上げて説明を続けるが、これ以外の構成で１画素が構成される表示部１１に対しても本技術は適用できる。例えば、Ｒ（赤）、Ｇ（緑）、Ｂ（青）の３色で１画素が構成されている場合、Ｒ（赤）、Ｇ（緑）、Ｂ（青）、Ｙ（黄）の４色で１画素が構成されている場合、Ｃ（シアン）、Ｍ（マゼンタ）、Ｙ（イエロー）の３色で１画素が構成されている場合などにも本技術を適応することができる。
【００３８】
表示部１１には、例えば、図４Ａに示すように、表示領域に複数のサブ画素Ｒ，Ｇ、Ｂ、Ｗがマトリクス状に配置されている。図４および以下の説明に用いる図において、Ｒとの記載は、サブ画素Ｒを表し、Ｇとの記載は、サブ画素Ｇを表し、Ｂとの記載は、サブ画素Ｂを表し、Ｗとの記載は、サブ画素Ｗを表すとする。
【００３９】
また、サブ画素Ｒとの表記は、赤色のサブ画素を表し、サブ画素Ｇとの表記は、緑色のサブ画素を表し、サブ画素Ｂとの表記は、青色のサブ画素を表し、サブ画素Ｗとの表記は、白色のサブ画素を表す。
【００４０】
また、サブ画素の位置を表す記載として、サブ画素１−２といった表記を行う。サブ画素１−２との表記において、“１”は、図中横方向における左側から数えたときに、１番目に位置することを示し、“２”は、図中縦方向における上側から数えたときに、２番目に位置することを示す。例えば、サブ画素１−１は、図６Ａ中、一番左の一番上のサブ画素Ｒを示す。また、同様に例えば、サブ画素４−１は、図中６Ａ中、左から４番目の一番上のサブ画素Ｗを示す。
【００４１】
このような表記は、視差バリア１２に対しても適用し、例えば、視差バリア１２の開口部１−４との表記は、視差バリア１２の開口部であり、サブ画素１−４の位置に相当する位置に開口された開口部であることを意味する。例えば、図４Ｂにおいて、開口部１−１との表記は、視差バリア１２の一番左の一番上に位置する開口部であり、サブ画素１−１が位置する位置に存在する開口部であることを示す。
【００４２】
このような表記は、他の図面においても同様であるとして、説明を続ける。なお、視差バリア１２の開口部は、２個のサブ画素にまたがって設けられる場合もあり、そのような場合には、上記した表記ではなく、適宜符号を付して説明する。
【００４３】
図４Ａに示した画素配置においては、２×２に配置された４個のサブ画素で１画素が構成されている。例えば、サブ画素１−１のサブ画素Ｒ、サブ画素２−１のサブ画素Ｇ、サブ画素１−２のサブ画素Ｗ、およびサブ画素２−２のサブ画素Ｂで、１画素が構成されている。このような４個のサブ画素の組み合わせで構成される画素が、縦方向、横方向にそれぞれ連続的に配置されることで、表示部１１が構成されている。
【００４４】
図４Ｂは、視差バリア１２の一例を示す図である。図４Ｂに示した視差バリア１２は、開口部が直線形状のバリアである。直線形状に設けられた開口部を、ここでは、スリットと記述する。図４Ｂに示した視差バリア１２のスリット１０１は、サブ画素１−１とサブ画素２−１にまたがる位置で、縦方向に設けられている。スリット１０１の幅は、１個のサブ画素に相当する幅とされている。スリット１０２は、サブ画素５−１とサブ画素６−１にまたがる位置で、縦方向に、スリット１０１と同じ幅で設けられている。
【００４５】
表示装置１０は、図４Ａに示したサブ画素の配置を有する表示部１１上に、図４Ｂに示した視差バリア１２が重ねられることで構成されている。重ね合わされた状態を、図４Ｃに示す。図４Ｃを参照するに、スリット１０１から、サブ画素１−１のサブ画素Ｒの半分、サブ画素１−２のサブ画素Ｇの半分、サブ画素１−２のサブ画素Ｂの半分、サブ画素１−２のサブ画素Ｗの半分が見えている。このように１画素を構成する４個のサブ画素の、それぞれの半分がスリット１０１から見える。
【００４６】
他のスリットにおいても同様に、開口されている部分から、配置されているサブ画素が見えるように構成されている。このように各スリットから、１画素を構成する４個のサブ画素の組が見えるように構成されている。
【００４７】
２Ｄ画像が観測者に提供されるときは、図４Ａに示したような画素の配置で画像が提供されるため、画質が良い画像を提供することができる。また、３Ｄ画像が観測者に提供されるときには、スリットから、１画素を構成する４つのサブ画素のそろった形で画像が提供されるため、画質が良い画像を提供することができる。
【００４８】
しかしながら、３Ｄ画像の場合、例えば、スリット１０１から見えているのは、サブ画素１−１のサブ画素Ｒ、サブ画素２−１のサブ画素Ｇ、サブ画素２−２のサブ画素Ｇ、そして、サブ画素１−２のサブ画素Ｗの、それぞれ半分が見えている状態である。１人の観測者に３Ｄ画像を提供する場合、その観測者が、適正な位置で視聴しているときには、良好な３Ｄ画像を提供することができる。しかしながら観測者が、適正な位置から少しずれた位置で視聴すると、そのずれから、色が変わってしまい、適切な画像を提供できない可能性がある。
【００４９】
なお、本明細書においては、上記したように、１人の観測者に３Ｄ画像を提供する場合を例にあげた説明としているため、“適正な位置で視聴している”とは、例えば、画像の色が許容できる範囲内での視聴であることを意味するとする。よって、複数の観測者に異なる画面を提供する場合（多画面の提供）や、複数の観測者に立体像を提供する場合（多視点での画像の提供）などの場合には、“適正な位置での視聴”との意味は異なるときがあるが、概して、観測者に提供される画像が崩れない、色が許容範囲である視聴位置である。
【００５０】
例えば、観測者が適切な位置からずれることにより、スリット１０１から見えているのは、サブ画素１−１のサブ画素Ｒとサブ画素１−２のサブ画素Ｗだけが見える状態になり、サブ画素２−１のサブ画素Ｇとサブ画素２−２のサブ画素Ｂが見えない状態になる可能性がある。そのような見え方になると、色が変わってしまう、この場合、赤色のサブ画素Ｒからの色が主に観測者に提供されることになってしまい、適切な３Ｄ画像を提供できないことになる。
【００５１】
［第１の画素の配置について］
そこで、画素の配置を、図５に示したようにする。図５Ａに示した画素の配置について説明する。図５Ａに示した画素の配置は、図４Ａに示した画素の配置と同じく、２×２の４個のサブ画素で１個の画素が構成されている。しかしながら、図５Ａに示した画素の配置は、図４Ａに示した画素の配置に対して、画素を横方向でずらした状態で配置されている。
【００５２】
例えば、サブ画素１−１のサブ画素Ｒ、サブ画素２−１のサブ画素Ｇ、サブ画素２−２のサブ画素Ｇ、そして、サブ画素１−２のサブ画素Ｗから構成される左上に位置する画素の下側には、１ラインずらして、画素が配置されている。すなわち、図５Ａに示した例では、サブ画素１−３のサブ画素Ｒは、サブ画素２−３の位置に移動されており、同じく、サブ画素１−３のサブ画素Ｗは、サブ画素２−４の位置に移動されている。このように、順次、１サブ画素分だけ、右側にずらされた状態で、上から２番目の画素は、配置されている。
【００５３】
なお例えば、“１ラインずらして、画素が配置されている”との表現を用いるが、図５Ａに示したように、２×２で構成される１画素が、横方向に物理的にずらし、配線などもそのずれに合わせてずらされる（引き回される）ようにしても良い。
【００５４】
または、２×２で構成される１画素が図５Ａに示したように、仮想的にずらされた位置に配置されていることを意味する。図５Ａに示した例では、サブ画素１−３やサブ画素１−４には、ずらされていることを意図的に表すために、空欄としてあるが、サブ画素Ｇ、サブ画素Ｂが配置される。
【００５５】
また、回路の駆動のことを考慮すると、信号線やゲート線を、画素をずらしたことに合わせてずらすことは光学的なロスになり、回路の負荷が大きくなるので、好ましくない。よって、図５Ａに示したようなサブ画素の配置で、入力信号だけを変える設計とされる。
【００５６】
このように、画素をずらすの意味合いは、物理的にずらすことも含まれるが、好ましくは、サブ画素の配置を図４Ａに示したような画素配置から、図５Ａに示したような画素配置に、あたかも画素がずらされたような配置であり、物理的にずらすことではないという意味合いである。
【００５７】
図５Ａに示した画素配置について説明を続けるに、縦方向で２番目に位置する画素は、横方向では、縦方向で１番目に位置する画素から半画素分だけ右側にずらされた位置に配置されている。縦方向で３番目に位置する画素は、横方向では、縦方向で１番目に位置する画素と同じ位置に配置されている。縦方向で４番目に位置する画素は、図５Ａにおいては不図示だが、縦方向で２番目に位置する画素と横方向では同じ位置に配置されている。
【００５８】
このように、奇数行に配置されている画素と偶数行に配置されている画素は、半画素ずらした状態で配置されている。このような配置の画素に対して、図５Ｂに示したような視差バリア１２を重ねると、図５Ｃに示すような画素が、スリットから見えることになる。
【００５９】
なおここでは、説明の都合上、“図５Ｃに示すような画素が、スリットから見える”との表現を用いるが、図５Ａに示した画素配置の表示部１１上に、図５Ｂに示した視差バリア１２を積層したときに真正面から見たときに、スリットから見えるという意味である。よって、例えば、３Ｄ画像を提供するときに、スリット１２３から見えるサブ画素は、観察者の視聴位置により異なり、真正面からであれば、図５Ｃに示したようなサブ画素が見えるが、真正面以外の位置から見たときには、隣接するサブ画素が見えるなど、視聴位置により異なる。
【００６０】
さらに換言するに、図５Ｃに示した状態は、片目である適視の位置で見えるサブ画素の状態を示しているサブ画素の状態を示している。以下の説明においても、スリットから見えるとの表現を用いるが、意味は、ここで説明した図５Ｃの状態と同じである。
【００６１】
図５Ｂに示した視差バリア１２は、図４Ｂに示した視差バリア１２と同じく、開口部が縦方向に連続して開口された形状とされている。ただし、図５Ｂに示した視差バリア１２のスリット１２１は、サブ画素２−１を先頭とする縦方向に設けられている。スリット１２１の幅は、１個のサブ画素に相当する幅、または小さい幅とされている。スリット１２２は、サブ画素７−１を先頭とする縦方向に設けられ、スリット１２１と同じ幅で設けられている。
【００６２】
表示装置１０は、図５Ａに示したサブ画素の配置を有する表示部１１上に、図５Ｂに示した視差バリア１２が重ねられることで構成されている。重ね合わされた状態を、図５Ｃに示す。図５Ｃを参照するに、スリット１２１から、サブ画素２−１のサブ画素Ｇ、サブ画素２−２のサブ画素Ｂ、サブ画素２−３のサブ画素Ｒ、サブ画素２−４のサブ画素Ｗが見えている。このように１画素を構成する４個のサブ画素がスリット１２１から見える。
【００６３】
他のスリットにおいても同様に、開口されている部分から、配置されているサブ画素が見えるように構成されている。このように各スリットから、１画素を構成する４個のサブ画素の組が見えるように構成されている。
【００６４】
２Ｄ画像が観測者に提供されるときは、図５Ａに示したような画素の配置で画像が提供されるため、画質が良い画像を提供することができる。また、３Ｄ画像が観測者に提供されるときには、スリットから、１画素を構成する４つのサブ画素がそろった形で画像が提供されるため、画質が良い画像を提供することができる。
【００６５】
なお、多視差の場合、角度を振って見たとき、所定の角度、例えば、真正面から見た角度のときには、図５Ｃに示すように、２と７の列が見え、同様に、３、４、５などの点、さらには、１／３が３で２／３が４など、角度により見える画素が変わっていったときにも、どの視聴位置に置いても色づかない良好な画質が得られる。
【００６６】
また、３Ｄ画像の場合、例えば、スリット１０１から見えているのは、サブ画素１−１のサブ画素Ｒ、サブ画素２−１のサブ画素Ｇ、サブ画素２−２のサブ画素Ｇ、そして、サブ画素１−２のサブ画素Ｗの、ほぼ全てが見えている状態である。よって観測者が、真正面などの所定の位置で視聴しているときには、良好な３Ｄ画像を提供することができることは勿論であるが、観測者が、その位置からずれても色が変わってしまい、適切な画像を提供できないといったことなく、良好な画質の画像を提供することが可能性となる。
【００６７】
２Ｄ画像が提供される場合には、図５Ａに示したように、縦×横の２×２のサブ画素で構成されるＲＧＢＷで１画素が構成され、３Ｄ画像が提供される場合には、図５Ｃに示したように縦方向に配置されたＲＧＢＷで１画素が構成される。このように、３Ｄ画像を提供するときには、スリット方向のＲＧＢＷを１画素として視差画像が提供されるようにすると、観察者に違和感のない３Ｄ画像を提供できるという効果もある。
【００６８】
［他の視差バリアの形状１について］
図６に他の視差バリア１２の形状を示す。図６Ａに示した画素の配置は、図５Ａに示した画素の配置と同じく、行毎に画素がサブ画素分だけずれた状態で配置されている配置である。図６Ｂに示した視差バリア１２は、縦方向に開口されたスリット１３１を有する。
【００６９】
図６Ｂに示した視差バリア１２のスリット１３１は、２個のサブ画素分の幅を有するスリットであり、縦方向に開口されたスリットとされている。すなわち、図６Ｂに示した例では、サブ画素２−１とサブ画素３−１の２個のサブ画素分の幅を有し、この２つのサブ画素の位置を先頭とする縦方向のスリット１３１とされている。
【００７０】
このような視差バリア１２が図６Ａに示した画素の配置を有する表示部１１上に重ね合わされた場合、図６Ｃに示すように、スリット１３１から、サブ画素２−１のサブ画素Ｇ、サブ画素３−１のサブ画素Ｒ、サブ画素２−２のサブ画素Ｂ、サブ画素３−２のサブ画素Ｗが見えている。このように１画素を構成する２×２で配置された４個のサブ画素がスリット１３１から見える。
【００７１】
他のスリットにおいても同様に、開口されている部分から、配置されている２×２で配置されたサブ画素が見えるように構成されている。この場合、画素を行毎にずらして配置したことで、同一のサブ画素の配置を有する画素が、縦方向に連続して見えるようになる。よって３Ｄ画像が観測者に提供されるときも、スリットから、１画素を構成する４つのサブ画素がそろった形で画像が提供されるため、画質が良い画像を提供することができる。
【００７２】
また、図５を参照して説明した場合と同じく、観測者が、適正な位置で視聴しているときには、良好な３Ｄ画像を提供することができることは勿論であるが、観測者が、適正な位置から少しずれた位置で視聴したときであっても、色が変わってしまい、適切な画像を提供できないといったことを防ぐことが可能性となる。
【００７３】
［他の視差バリアの形状２について］
図７に他の視差バリア１２の形状を示す。図７Ａに示した画素の配置は、図５Ａに示した画素の配置と同じく、行毎に画素がサブ画素分だけずれた状態で配置されている配置である。図７Ｂに示した視差バリア１２は、右斜め下方向に開口されたスリット１４１を有する。
【００７４】
図７Ｂに示した視差バリア１２のスリット１４１は、２個のサブ画素分の幅を有するスリットであり、右下方向に傾く斜めに開口されたスリットとされている。すなわち、図７Ｂに示した例では、サブ画素１−１とサブ画素２−１の２個のサブ画素分の幅を有し、この２つのサブ画素の位置を先頭とする斜め方向のスリット１４１とされている。
【００７５】
このような視差バリア１２が図７Ａに示した画素の配置を有する表示部１１上に重ね合わされた場合、図７Ｃに示すように、スリット１４１から、サブ画素１−１のサブ画素Ｇ、サブ画素２−１のサブ画素Ｇ、サブ画素１−２のサブ画素Ｗ、サブ画素２−２のサブ画素Ｂが見えている。このように１画素を構成する２×２で配置された４個のサブ画素がスリット１４１から見える。
【００７６】
他のスリットにおいても同様に、開口されている部分から、配置されている２×２で配置されたサブ画素が見えるように構成されている。この場合、画素を行毎にずらして配置したことで、同一のサブ画素の配置を有する画素が、斜め方向に連続して見えるようになる。よって３Ｄ画像が観測者に提供されるときも、スリットから、１画素を構成する４つのサブ画素がそろった形で画像が提供されるため、画質が良い画像を提供することができる。
【００７７】
また、図５を参照して説明した場合と同じく、観測者が、適正な位置で視聴しているときには、良好な３Ｄ画像を提供することができることは勿論であるが、観測者が、適正な位置から少しずれた位置で視聴したときであっても、色が変わってしまい、適切な画像を提供できないといったことを防ぐことが可能性となる。
【００７８】
図５、図６、および図７には、表示部１１に、複数の異なる色のサブ画素から構成される画素が配置され、その画素の配置に適した視差バリア１２であり、表示部１１の表示面側に対向配置され、表示部１１からの光線を所定の方向へ通過させる視差バリア１２の開口部を図示した。
【００７９】
図５Ａ、図６Ａ、および図７Ａに示したように、画素の配置は、表示部１１の横方向または縦方向の少なくとも一方向において、サブ画素の全色の繰り返しがあり、近接する同色のサブ画素同士の距離がほぼ同一となる位置にサブ画素が配置されている。すなわち、例えば、縦方向に配置されたサブ画素２−１のサブ画素Ｇ、サブ画素２−２のサブ画素Ｂ、サブ画素２−３のサブ画素Ｒ、およびサブ画素２−４のサブ画素Ｗは、１画素を構成するサブ画素とされている。
【００８０】
また、サブ画素２−１のサブ画素Ｇに注目したとき、近接するサブ画素Ｇは、例えば、サブ画素４−１やサブ画素３−３にある。このような配置は、サブ画素１−１のサブ画素Ｒに注目したときにも同様である。このように、上記した画素の配置においては、近接する同色のサブ画素同士の距離がほぼ同一となる位置にサブ画素が配置されている。
【００８１】
また、図５Ａ、図６Ａ、および図７Ａに示した画素の配置を換言すれば、上記したように、１画素が、２×２で配置された４色のサブ画素から構成され、画素単位で、行毎にサブ画素分だけずれた位置に配置されている。
【００８２】
さらに、図５Ａ、図６Ａ、および図７Ａに示した画素の配置を換言すれば、表示部１１の縦方向において、サブ画素の全色（Ｒ、Ｇ、Ｂ、Ｗ）の繰り返しがあり、サブ画素の配置は、隣り合う列で異なるように配置されている。
【００８３】
このような画素の配置に適している視差バリア１２の開口部の形状は、図５Ｂに示したサブ画素とほぼ同一の幅有する縦方向の直線形状とされている開口部の形状がある。また、図６Ｂに示したサブ画素のほぼ整数倍（図６Ｂでは２倍）の幅を有する縦方向の直線形状とされている開口部の形状でも良い。さらに、図７Ｂに示したサブ画素のほぼ整数倍（図７Ｂでは２倍）の幅を有する斜め方向の直線形状とされている開口部の形状でも良い。
【００８４】
なお、画素の配置を変えることで、縦方向の開口部を、横方向の開口部とすることが可能である。
【００８５】
［第２の画素の配置について］
図４乃至図７に示した画素の配置は、２×２でサブ画素が配置され、１画素が構成される例を示した。次に、縦方向または横方向に並べられたサブ画素で、１画素が構成される場合を例に挙げた説明を行う。
【００８６】
図８Ａは、縦方向に配置された４個のサブ画素で１画素が構成されている表示部１１の一例を示す図である。例えば、サブ画素１−１のサブ画素Ｒ、サブ画素１−２のサブ画素Ｗ、サブ画素１−３のサブ画素Ｂ、およびサブ画素１−４のサブ画素Ｇで、１画素が構成されている。色の配置は列毎に異なり、隣の列では、サブ画素２−１のサブ画素Ｇ、サブ画素２−２のサブ画素Ｂ、サブ画素２−３のサブ画素Ｗ、およびサブ画素２−４のサブ画素Ｒの順で配置されている。
【００８７】
図８Ａに示した画素の配置例では、３列目のサブ画素の並びは、１列目と同じサブ画素の並びとされ、４列目のサブ画素の並びは、２列目と同じサブ画素の並びとされている。このようなサブ画素の配置が繰り返された配置とされている。
【００８８】
図８Ｂも、縦方向に配置された４個のサブ画素で１画素が構成されている表示部１１の一例を示す図である。例えば、サブ画素１−１のサブ画素Ｒ、サブ画素１−２のサブ画素Ｗ、サブ画素１−３のサブ画素Ｂ、およびサブ画素１−４のサブ画素Ｇで、１画素が構成されている。色の配置は列毎に異なり、隣の列では、サブ画素２−１のサブ画素Ｇ、サブ画素２−２のサブ画素Ｂ、サブ画素２−３のサブ画素Ｗ、およびサブ画素２−４のサブ画素Ｒの順で配置されている。
【００８９】
図８Ｂに示した画素の配置例では、さらに３列目は上から順に、サブ画素Ｂ、サブ画素Ｒ、サブ画素Ｇ、サブ画素Ｗの順で配置され、４列目は上から順に、サブ画素Ｗ、サブ画素Ｇ、サブ画素Ｒ、サブ画素Ｂの順で配置されている。このようなサブ画素の配置が繰り返された配置とされている。
【００９０】
図８Ａと図８Ｂにそれぞれ示した画素の配置によれば、例えば、図５Ｂや図６Ｂに示した縦方向に直線形状のスリットを有する視差バリア１２を用いた場合、そのスリット内に、縦方向に配置された１画素を構成するサブ画素の組が含まれるため、画質が良い３Ｄ画像を観測者に提供することができる。
【００９１】
一方で、２Ｄ画像を観測者に提供する際、図８Ａと図８Ｂに示した画素の配置によると、色が均等に分散されていないため、ざらついた画面になるなど、画質の低下が起こる可能性がある。例えば、図８Ａに示した画素の配置において、サブ画素３−４のサブ画素Ｇに注目する。１つのサブ画素を正方形であると仮定し、１辺の大きさをａとする。または、サブ画素の中心とそのサブ画素に隣接するサブ画素の中心までの距離をａとする。
【００９２】
このとき、図中丸を付したサブ画素３−４のサブ画素Ｇとサブ画素４−１のサブ画素Ｇとの距離は、√１０ａとなる。また図中丸を付したサブ画素３−４のサブ画素Ｇとサブ画素２−５のサブ画素Ｇとの距離は、√２ａとなる。また図中丸を付したサブ画素３−４のサブ画素Ｇとサブ画素１−４のサブ画素Ｇとの距離は、２ａとなる。このように、緑色の１つのサブ画素Ｇに注目したとき、近接する他の緑色のサブ画素Ｇとの距離は、それぞれ異なる。
【００９３】
他の画素においても、同様に近接する画素との距離に大きな違いがある。このように、同色間の画素の距離関係が大きく異なる。このように、画素毎の距離関係が大きく異なる場合、ざらつきのある画像となる可能性がある。
【００９４】
同様に、図８Ｂに示した画素の配置も、画素毎の距離関係が大きく異なる。例えば、図８Ｂに示した画素の配置において、サブ画素３−３のサブ画素Ｇに注目する。このとき、図中丸を付したサブ画素３−３のサブ画素Ｇとサブ画素４−２のサブ画素Ｇとの距離は、√２ａとなる。また図中丸を付したサブ画素３−３のサブ画素Ｇとサブ画素５−４のサブ画素Ｇとの距離は、√５ａとなる。このように、緑色の１つのサブ画素Ｇに注目したとき、近接する他のサブ画素Ｇとの距離は、それぞれ異なる。
【００９５】
他の画素においても、同様に近接する画素との距離に大きな違いがある。このように、同色間の画素の距離関係が大きく異なる。このように、画素毎の距離関係が大きく異なる場合、ざらつきのある画像となる可能性がある。
【００９６】
［第３の画素の配置について］
そこで、画素の配置を、図９に示したようにする。図９に示した画素の配置について説明する。図９に示した画素の配置は、図８Ａまたは図８Ｂに示した画素の配置と同じく、縦方向の４個のサブ画素で１個の画素が構成されている。しかしながら、図８Ａまたは図８Ｂに示した画素の配置とは異なるサブ画素の配置とされている。
【００９７】
例えば、サブ画素１−１のサブ画素Ｒ、サブ画素１−２のサブ画素Ｗ、サブ画素１−３のサブ画素Ｂ、およびサブ画素１−４のサブ画素Ｇで、１画素が構成されている。色の配置は列毎に異なり、隣の列では、サブ画素２−１のサブ画素Ｇ、サブ画素２−２のサブ画素Ｂ、サブ画素２−３のサブ画素Ｒ、およびサブ画素２−４のサブ画素Ｗの順で配置されている。
【００９８】
図９に示した画素の配置例では、３列目のサブ画素の並びは、１列目と同じサブ画素の並びとされ、４列目のサブ画素の並びは、２列目と同じサブ画素の並びとされている。このようなサブ画素の配置が繰り返された配置とされている。
【００９９】
図９に示した画素の配置によれば、例えば、図５Ｂや図６Ｂに示した縦方向に直線形状のスリットを有する視差バリア１２を用いたとき、そのスリット内に、縦方向に配置された１画素を構成するサブ画素の組が含まれるため、画質が良い３Ｄ画像を観測者に提供することができる。
【０１００】
また図９に示した画素の配置によれば、例えば、図７Ｂに示した斜め方向の直線形状のスリットを有する視差バリア１２を用いたとき、そのスリット内に、斜め方向に配置された１画素を構成するサブ画素の組が含まれるため、斜め方向のスリットの視差バリア１２が用いられたときにも、画質が良い３Ｄ画像を観測者に提供することができる。
【０１０１】
また２Ｄ画像を観測者に提供する際、図８Ａと図８Ｂに示した画素の配置と異なり、色が均等に分散されているため、ざらついた画面になるなど、画質の低下を引き起こす可能性が低い。ここで、図９に示した画素の配置において、サブ画素３−３のサブ画素Ｇに注目する。以下のａは、上記定義と同じく、１つのサブ画素を正方形であると仮定したときの１辺の大きさであるか、またはサブ画素のピッチの距離を表すとする。
【０１０２】
このとき、図中丸を付したサブ画素３−３のサブ画素Ｇとサブ画素２−１のサブ画素Ｇとの距離は、√５ａとなる。また図中丸を付したサブ画素３−３のサブ画素Ｇとサブ画素１−３のサブ画素Ｇとの距離は、２ａとなる。また図中丸を付したサブ画素３−３のサブ画素Ｇとサブ画素２−５のサブ画素Ｇとの距離は、√５ａとなる。このように、緑色の１つのサブ画素Ｇに注目したとき、近接刷る他の緑色のサブ画素Ｇとの距離は、√５ａまたは２ａとなる。
【０１０３】
他の画素においても、同様に、近接する同色の画素同士の距離は、√５ａまたは２ａとなる。√５ａは、約２．２ａなので、２ａとほぼ変わりないといえる。よって、近接する同色の画素同士の距離は、どのサブ画素においてもほぼ同じであるといえる。すなわち、図９に示した画素の配置によれば、同色間の画素の距離関係が等しく、ざらつきのある画像となる可能性は低い。
【０１０４】
よって、図９に示したようなサブ画素の配置によれば、２Ｄ画像も３Ｄ画像も、共に画質が良い状態で、観測者に視聴させることが可能となる。
【０１０５】
また、図９に示したようなサブ画素の配置によれば、解像度を２倍とすることも可能となる。ここで、再度、図４Ａに示した画素の配置を参照し、図９に示した画素の配置と比較する。図４Ａに示した画素の配置は、１，３，５列目には、サブ画素Ｒとサブ画素Ｗが存在し、２，４，６列目には、サブ画素Ｇとサブ画素Ｂが存在している。
【０１０６】
これに対して、図９に示した画素の配置によれば、各列に、サブ画素Ｒ、サブ画素Ｇ、サブ画素Ｇ、サブ画素Ｗが存在している。よって、図４Ａに示した画素の配置では、同色が１サブ画素おきにしか表現できないのに対し、図９に示した画素の配置では、全列において表現できることになる。このことから、解像度を２倍とすることが可能となる。
【０１０７】
図９に示した画素の配置は、表示部１１の横方向または縦方向の少なくとも一方向において、サブ画素の全色の繰り返しがあり、近接する同色のサブ画素同士の距離がほぼ同一となる位置にサブ画素が配置されている。すなわち、例えば、縦方向に配置されたサブ画素１−１のサブ画素Ｒ、サブ画素１−２のサブ画素Ｗ、サブ画素１−３のサブ画素Ｇ、およびサブ画素１−４のサブ画素Ｂは、１画素を構成するサブ画素とされている。
【０１０８】
また、サブ画素３−３のサブ画素Ｇに注目したとき、近接するサブ画素Ｇは、例えば、サブ画素１−３やサブ画素２−５にあり、このサブ画素Ｇ同士の距離関係は、略同一とされている。他の色の画素についても同様である。すなわち、上記した画素の配置においては、近接する同色のサブ画素同士の距離がほぼ同一となる位置にサブ画素が配置されている。
【０１０９】
また、図９Ａに示した画素の配置を換言すれば、表示部１１の縦方向において、サブ画素の全色（Ｒ、Ｇ、Ｂ、Ｗ）の繰り返しがあり、サブ画素の配置は、隣り合う列で異なるように配置されている。
【０１１０】
このような画素の配置に適している視差バリア１２の開口部の形状は、図５Ｂに示したサブ画素とほぼ同一の幅有する縦方向の直線形状とされている開口部の形状がある。また、図６Ｂに示したサブ画素のほぼ整数倍（図６Ｂでは２倍）の幅を有する縦方向の直線形状とされている開口部の形状でも良い。さらに、図７Ｂに示したサブ画素のほぼ整数倍（図７Ｂでは２倍）の幅を有する斜め方向の直線形状とされている開口部の形状でも良い。
【０１１１】
なお、画素の配置を変えることで、縦方向の開口部を、横方向の開口部とすることが可能である。
【０１１２】
［第４の画素の配置について］
図４乃至図９を参照して説明した画素の配置は、サブ画素の形状が、例えば、図９に示したようにほぼ正方形の形状である場合を例に挙げて説明した。サブ画素の形状は、正方形に限らず、以下に説明するように、長方形であっても良い。
【０１１３】
図１０Ａは、１つのサブ画素の形状が、長方形とされているときの画素の配置を示す図である。図１０Ａに示した画素の配置は、２Ｄ画像と３Ｄ画像の共に、観測者に画質が良い状態で提供できる配置例である。
【０１１４】
図１０Ａに示した画素の配置は、縦方向の４個のサブ画素で１個の画素が構成されている。例えば、サブ画素１−１のサブ画素Ｒ、サブ画素１−２のサブ画素Ｇ、サブ画素１−３のサブ画素Ｂ、およびサブ画素１−４のサブ画素Ｗで、１画素が構成されている。色の配置は列毎に異なり、隣の列では、サブ画素２−１のサブ画素Ｗ、サブ画素２−２のサブ画素Ｒ、サブ画素２−３のサブ画素Ｇ、およびサブ画素２−４のサブ画素Ｂの順で配置されている。
【０１１５】
図１０Ａに示した画素の配置例では、Ｒ、Ｇ、Ｂ、Ｗの繰り返しを行毎に１つづらした配置とされている。例えば、赤色のサブ画素Ｒに注目した場合、サブ画素１−１，サブ画素２−２，サブ画素３−３、・・・といったように、右斜め下方向に連続的に配置されている。他の色のサブ画素も同様に、右斜め下方向に連続的に配置されている。
【０１１６】
このような配置を換言すれば、同一色を見たとき、縦方向では、画素が１ずつ下方向に移動する一方で、横方向では、最初の位置をａとすると、ａ＋１、ａ＋２、ａ＋３といったように移動し、この４つの位置に満遍なく規則的に配置されている。そして、ａ＋３の後に、ａの位置に戻るといった繰り返しで配置されている。
【０１１７】
図１０Ｂも、１つのサブ画素の形状が、長方形とされているときの画素の配置を示す図である。図１０Ｂに示した画素の配置も、２Ｄ画像と３Ｄ画像の共に、観測者に画質が良い状態で提供できる配置例である。
【０１１８】
図１０Ｂに示した画素の配置は、縦方向の４個のサブ画素で１個の画素が構成されている。例えば、サブ画素１−１のサブ画素Ｒ、サブ画素１−２のサブ画素Ｗ、サブ画素１−３のサブ画素Ｂ、およびサブ画素１−４のサブ画素Ｇで、１画素が構成されている。色の配置は列毎に異なり、隣の列では、サブ画素２−１のサブ画素Ｗ、サブ画素２−２のサブ画素Ｂ、サブ画素２−３のサブ画素Ｇ、およびサブ画素２−４のサブ画素Ｒの順で配置されている。
【０１１９】
図１０Ｂに示した画素の配置例も、図１０Ａに示した画素の配置例と同じく、Ｒ、Ｇ、Ｂ、Ｗの繰り返しを行毎に１つづらした配置とされているが、その方向が異なる。例えば、赤色のサブ画素Ｒに注目した場合、サブ画素５−１，サブ画素４−２，サブ画素３−３、・・・といったように、左斜め下方向に連続的に配置されている。他の色のサブ画素も同様に、左斜め下方向に連続的に配置されている。
【０１２０】
このような配置を換言すれば、同一色を見たとき、縦方向では、画素が１ずつ下方向に移動する一方で、横方向では、最初の位置をａとすると、ａ―１、ａ―２、ａ―３といったように移動し、この４つの位置に満遍なく規則的に配置されている。そして、ａ−３の後に、ａの位置に戻るといった繰り返しで配置されている。
【０１２１】
図１０Ａと図１０Ｂに示した画素の配置によれば、サブ画素が局在化しているところがなく、均一に配置されているため、色の偏りが無く、画質が良い２Ｄ画像を観測者に提供することができる。また、図１０Ａと図１０Ｂに示した画素の配置によれば、例えば、図５Ｂや図６Ｂに示した縦方向に直線形状のスリットを有する視差バリア１２を用いたとき、そのスリット内に、縦方向に配置された１画素を構成するサブ画素の組が含まれるため、画質が良い３Ｄ画像を観測者に提供することができる。
【０１２２】
［第５の画素の配置について］
図１１にさらに他の画素の配置を示す。図１１に示した画素の配置は、縦方向の４個のサブ画素で１個の画素が構成されている。例えば、サブ画素１−１のサブ画素Ｒ、サブ画素１−２のサブ画素Ｂ、サブ画素１−３のサブ画素Ｗ、およびサブ画素１−４のサブ画素Ｇで、１画素が構成されている。色の配置は列毎に異なり、隣の列では、サブ画素２−１のサブ画素Ｇ、サブ画素２−２のサブ画素Ｗ、サブ画素２−３のサブ画素Ｒ、およびサブ画素２−４のサブ画素Ｂの順で配置されている。
【０１２３】
同色のサブ画素に注目し、その配置を記載する。例えば、サブ画素１−１のサブ画素Ｒに注目すると、サブ画素Ｒは、サブ画素１−１、サブ画素３−２、サブ画素２−３、サブ画素４−４、サブ画素５−１、・・・・といったように配置されている。
【０１２４】
このような配置を換言すれば、同一色を見たとき、縦方向では、画素が１ずつ下方向に移動する一方で、横方向では、最初の位置をａ（サブ画素１−１の位置なので、この場合、ａ＝１）とすると、ａ＋２、ａ＋１、ａ＋３といったように移動し、この４つの位置に満遍なく規則的に配置されている。そして、ａ＋３の後に、ａの位置に戻るといった繰り返しで配置されている。他のサブ画素も、最初の位置は異なるが、同様の規則に基づいた配置とされている。
【０１２５】
この場合、１画素を構成するサブ画素の配置は、画素により異なり、均一ではないが、サブ画素が局在化しているところが少なく、規則的に配置されているため、色の偏りが無く、少なくとも、色の偏りを抑え、画質が良い２Ｄ画像を観測者に提供することができる。
【０１２６】
また、図１１に示した画素の配置によれば、例えば、図５Ｂや図６Ｂに示した縦方向に直線形状のスリットを有する視差バリア１２を用いたとき、そのスリット内に、縦方向に配置された１画素を構成するサブ画素の組が含まれるため、画質が良い３Ｄ画像を観測者に提供することができる。
【０１２７】
図１０、図１１に示した画素の配置は、表示部１１の横方向または縦方向の少なくとも一方向において、サブ画素の全色の繰り返しがあり、近接する同色のサブ画素同士の距離がほぼ同一となる位置にサブ画素が配置されている。すなわち、例えば、縦方向に配置されたサブ画素１−１のサブ画素Ｒ、サブ画素１−２のサブ画素Ｇ、サブ画素１−３のサブ画素Ｂ、およびサブ画素１−４のサブ画素Ｗは、１画素を構成するサブ画素とされている。
【０１２８】
また、図１０Ａ、図１０Ｂ、図１１に示した画素の配置を換言すれば、表示部１１の縦方向において、サブ画素の全色（Ｒ、Ｇ、Ｂ、Ｗ）の繰り返しがあり、サブ画素の配置は、隣り合う列で異なるように配置されている。
【０１２９】
また、図１０Ａ、図１０Ｂ、図１１に示した画素の配置を換言すれば、同色のサブ画素が、左斜め方向または右斜め方向に連続的に配置されている。例えば、図１０Ａに示した画素の配置においては、サブ画素Ｒは、サブ画素１−１からサブ画素８−８にかけて、右斜め下方向に連続的に配置され、他の色のサブ画素も、同様に、右斜め下方向に連続的に配置されている。
【０１３０】
このような画素の配置に適している視差バリア１２の開口部の形状は、図５Ｂに示したサブ画素とほぼ同一の幅有する縦方向の直線形状とされている開口部の形状がある。また、図６Ｂに示したサブ画素のほぼ整数倍（図６Ｂでは２倍）の幅を有する縦方向の直線形状とされている開口部の形状でも良い。
【０１３１】
なお、画素の配置を変えることで、縦方向の開口部を、横方向の開口部とすることが可能である。
【０１３２】
［第６の画素の配置について］
図１２にさらに他の画素の配置を示す。図１２Ａに示した画素配置においては、２×２に配置された４個のサブ画素で１画素が構成されている。例えば、サブ画素１−１のサブ画素Ｒ、サブ画素２−１のサブ画素Ｇ、サブ画素２−２のサブ画素Ｂ、およびサブ画素１−２のサブ画素Ｗで、１画素が構成されている。この画素を画素Ｍとする。
【０１３３】
画素Ｍに横方向で隣り合う画素（画素Ｎとする）は、以下のサブ画素から構成されている。すなわち、サブ画素３−１のサブ画素Ｂ、サブ画素４−１のサブ画素Ｗ、サブ画素４−２のサブ画素Ｇ、およびサブ画素３−２のサブ画素Ｇで、１画素Ｎが構成されている。さらに画素Ｎに横方向で隣り合う画素Ｏは、画素Ｍと同一のサブ画素の配置とされている。このように、横方向では、１画素置きに、同一のサブ画素の配置の画素が、繰り返し配置されている。
【０１３４】
また画素Ｍの下側に配置された画素は、画素Ｍと同一のサブ画素の配置とされた画素が配置され、画素Ｎの下側に配置された画素は、画素Ｎと同一のサブ画素の配置とされた画素が配置されている。このように、縦方向には、同一のサブ画素の配置とされた画素が、連続して配置されている。
【０１３５】
このような画素の配置の場合、上記したような規則性があるサブ画素の配置がなされ、Ｒ、Ｇ、Ｂが均等で、各色の位置関係が均一に保たれるため、画質が良い２Ｄ画像を観測者に提供することができる。しかしながら、例えば、図５Ｂに示したような１サブ画素分の幅を有する縦方向のスリットが設けられている視差バリア１２を用いて、３Ｄ画像を提供する場合、画質が劣化した３Ｄ画像となってしまう可能性がある。
【０１３６】
すなわち、図１２Ａに示した画素の配置は、縦方向で見たとき、サブ画素Ｒとサブ画素Ｂだけが存在する列と、サブ画素Ｇとサブ画素Ｗだけが存在する列とが交互に存在する配置である。このような配置であるために、直線状の１スリット内には、サブ画素Ｒとサブ画素Ｂだけが存在する列か、サブ画素Ｇとサブ画素Ｗだけが存在する列のどちらかが存在することになる。よって、１画素を構成する４個のサブ画素が１つのスリット内に存在しないことになり、３Ｄ画像として、画質が劣化してしまう可能性がある。
【０１３７】
そこで、図１２Ｂに示したようなステップ状のスリットを有する視差バリア１２を用いる。図１２Ｂに示した視差バリア１２の１つの開口部の大きさは、１つのサブ画素の大きさとほぼ同じに構成されている。また、スリットは、右上から左下方向に斜めに開口部が設けられた形状とされている。
【０１３８】
例えば、開口部４−１の左下に開口部３−２が設けられ、その開口部３−２の左下に開口部２−３が設けられ、その開口部２−３の左下に開口部１−４が設けられるといったように、ステップ状に開口部が設けられている。
【０１３９】
なお、ここでは、図１２Ｂに示したように、サブ画素の大きさに相当する四角形が斜め方向にステップ状で連続的に設けられた視差バリア１２を示したが、ステップ状ではなく、斜め方向の直線形状のスリットとすることも可能である。
【０１４０】
表示装置１０においては、図１２Ａに示した画素上に、図１２Ｂに示した視差バリア１２が重ねられる。重ね合わされた状態を、図１２Ｃに示す。図１２Ｃを参照するに、視差バリア１２の１つのスリットを構成する開口部４−１から、サブ画素４−１のサブ画素Ｗが見え、開口部３−２から、サブ画素３−２のサブ画素Ｒが見え、開口部２−３から、サブ画素２−３のサブ画素Ｇが見え、開口部１−４から、サブ画素１−４のサブ画素Ｂが見えている。他の開口部においても同様に、開口されている部分から、配置されているサブ画素が見えるように構成されている。
【０１４１】
所定の１視点から見たとき、図１２Ｃに示したようなサブ画素からの光が、観測者に提供される。このように、図１２Ｂに示した視差バリア１２には、視差毎の画像のカラーバランスのため、斜め方向にサブ画素Ｒ，Ｇ，Ｂ，Ｗといった１画素を構成するサブ画素が、均等になるように開口部（スリット）が設けられている。よって、上記したような１画素を構成する４個のサブ画素が１つのスリット内に存在しないことによる画質の劣化を防ぐことが可能となる。
【０１４２】
［他の視差バリアの形状について］
次に、図１２Ａと同じサブ画素の配置のときに、３Ｄ画像を提供するときに画質が劣化しない他の形状の視差バリア１２について、図１３を参照して説明する。
【０１４３】
図１３Ａに示したサブ画素の配置は、図１２Ａに示したサブ画素の配置と同様である。そのような配置のサブ画素から構成される表示部１１に対して、図１３Ｂに示した視差バリア１２が設けられると、図１３Ｃに示すようなサブ画素からの光が、観測者に提供されることになる。
【０１４４】
図１３Ｂに示した視差バリア１２について説明する。図１３Ｂに示した視差バリア１２は、図１２Ｂに示した視差バリア１２と同一の形状とされ、左斜め下方向に開口部が連続的に配置されているスリットを有する形状であるがが、スリットの幅が大きく構成されている点が異なる。
【０１４５】
図１３Ｂに示した視差バリア１２は、開口部４−１乃至開口部６−１の３個のサブ画素を含む大きさの開口部を先頭とし、同じ幅の開口部が、左下方向に連続的に設けられている。すなわち、一部分を例示すると、開口部４−１乃至開口部６−１の開口部Ａ、この開口部Ａの左下側に設けられた開口部３−２乃至開口部５−２の開口部Ｂ、この開口部Ｂの左下側に設けられた開口部２−３乃至開口部４−３の開口部Ｃ、この開口部Ｃの左下側に設けられた開口部１−４乃至開口部３−４の開口部Ｄから構成されるスリットが、図１３Ｂに示した視差バリア１２に設けられている。
【０１４６】
表示装置１０においては、図１３Ａに示した画素上に、図１３Ｂに示した視差バリア１２が重ねられる。重ね合わされた状態を、図１３Ｃに示す。図１３Ｃを参照するに、視差バリア１２の１つのスリットを構成する開口部４−１乃至開口部６−１（開口部Ａ）から、それぞれサブ画素４−１乃至サブ画素６−１のサブ画素Ｗ、サブ画素Ｒ、およびサブ画素Ｇが見える。
【０１４７】
また同様に、視差バリア１２の１つのスリットを構成する開口部３−２乃至開口部５−２（開口部Ｂ）から、それぞれサブ画素３−２乃至サブ画素５−２のサブ画素Ｒ、サブ画素Ｇ、およびサブ画素Ｂが見える。また開口部Ｃからは、サブ画素２−３乃至サブ画素４−３のサブ画素Ｇ、サブ画素Ｂ、およびサブ画素Ｗが見え、開口部Ｄからは、サブ画素１−４乃至サブ画素４−４のサブ画素Ｂ、サブ画素Ｗ、およびサブ画素Ｒが見えている。他の開口部においても同様に、開口されている部分から、配置されているサブ画素が見えるように構成されている。
【０１４８】
所定の１視点から見たとき、図１３Ｃに示したようなサブ画素からの光が、観測者に提供される。このように、図１３Ｂに示した視差バリア１２も、図１２Ｂに示した視差バリア１２と同じく、視差毎の画像のカラーバランスのため、斜め方向にサブ画素Ｒ，Ｇ，Ｂ，Ｗといった１画素を構成するサブ画素が、均等になるように開口部（スリット）が設けられている。
【０１４９】
例えば、サブ画素５−１のサブ画素Ｒ、サブ画素４−２のサブ画素Ｇ、サブ画素３−３のサブ画素Ｂ、およびサブ画素２−４のサブ画素Ｗは、１つのスリット内に斜め方向に配置されたサブ画素であり、このサブ画素の色は、１画素を構成する４色である。
【０１５０】
このように配置された４個のサブ画素の図中左側のサブ画素についても、同様に記載すると、サブ画素４−１のサブ画素Ｗ、サブ画素３−２のサブ画素Ｒ、サブ画素２−３のサブ画素Ｇ、およびサブ画素１−４のサブ画素Ｂは、１つのスリット内に斜め方向に配置されたサブ画素であり、このサブ画素の色は、１画素を構成する４色である。同様に右隣も、１つのスリット内の斜め方向には、１画素を構成する４色のサブ画素が配置されている。
【０１５１】
このように、スリット内に含まれるサブ画素は、１画素を構成する４色のサブ画素が均等に配置されているため、上記したような１画素を構成する４個のサブ画素が１つのスリット内に存在しないことによる画質の劣化を防ぐことが可能となる。
【０１５２】
図１２、図１３に示した画素の配置は、表示部１１の横方向または縦方向の少なくとも一方向において、サブ画素の全色の繰り返しがあり、近接する同色のサブ画素同士の距離がほぼ同一となる位置にサブ画素が配置されている。すなわち、例えば、横方向に配置されたサブ画素１−１のサブ画素Ｒ、サブ画素２−１のサブ画素Ｇ、サブ画素３−１のサブ画素Ｂ、およびサブ画素４−１のサブ画素Ｗは、１画素を構成するサブ画素とされている。
【０１５３】
また、図１２、図１３に示した画素の配置を換言すれば、表示部１１の横方向において、サブ画素の全色（Ｒ、Ｇ、Ｂ、Ｗ）の繰り返しがあり、サブ画素の配置は、隣り合う列で異なるように配置されている。
【０１５４】
また図１２、図１３に示した画素の配置を換言すれば、１画素は、２×２で配置された４色のサブ画素から構成され、画素内で、サブ画素の色の配置が異なる第１の画素と第２の画素がある。例えば、図１２Ａにおいて、第１の画素を、サブ画素１−１のサブ画素Ｒ、サブ画素２−１のサブ画素Ｇ、サブ画素２−２のサブ画素Ｂ、およびサブ画素１−２のサブ画素Ｗで構成される画素とすることができる。
【０１５５】
また、第２の画素は、サブ画素３−１のサブ画素Ｂ、サブ画素４−１のサブ画素Ｗ、サブ画素４−２のサブ画素Ｇ、およびサブ画素３−２のサブ画素Ｇで構成される画素とすることができる。この第１の画素と第２の画素は、それぞれ、縦方向に配置され、横方向に交互に配置されている。
【０１５６】
このような配置がされると、１画素を構成するサブ画素が、左斜め方向、または右斜め方向に連続的に配置されているともいえる。すなわち、図１２Ａにおいては、サブ画素１−１のサブ画素Ｒ、サブ画素２−２のサブ画素Ｗ、サブ画素３−３のサブ画素Ｂ、およびサブ画素４−４のサブ画素Ｇで１画素が構成されている。
【０１５７】
すなわち、この場合、右斜め方向に連続的に配置されたサブ画素は、１画素を構成している。このような１画素に対して、視差バリア１２の開口部を設けることで、視差バリア１２を介した画像の画質を劣化させることなく、観測者に提供することができる。すなわち、図１２Ｂまたは図１３Ｂに示したように、視差バリア１２の開口部は、ステップ形状であり、１つの開口部は、１または複数個のサブ画素の大きさとされているようにすれば、良好な３次元画像を観測者に提供することができる。
【０１５８】
［第７の画素の配置について］
図１４にさらに他の画素の配置を示す。図１４に示した画素配置は、サブ画素Ｒ、サブ画素Ｇ、サブ画素Ｂ、およびサブ画素Ｗの４色構成だが、画素は３色を１単位とし、２種類の構成の画素が存在する配置とされている。
【０１５９】
図１４Ａに示した画素の配置においては、サブ画素Ｒ、サブ画素Ｇ、サブ画素Ｂで構成される第１の画素と、サブ画素Ｒ、サブ画素Ｇ、サブ画素Ｗで構成される第２の画素とがある。第１の画素は、例えば、サブ画素１−１のサブ画素Ｒ、サブ画素２−１のサブ画素Ｇ、サブ画素３−１のサブ画素Ｂである。第２の画素は、例えば、サブ画素４−１のサブ画素Ｒ、サブ画素５−１のサブ画素Ｇ、サブ画素６−１のサブ画素Ｗである。
【０１６０】
この例示した第１の画素と第２の画素は、横方向で隣り合って配置されている。すなわち、図１４Ａに示した例では、横方向で見たとき、第１の画素と第２の画素が交互に配置されている。
【０１６１】
縦方向で見たとき、上記で例示した第１の画素の下側には、第２の画素が配置されている。すなわち、第２の画素を構成するサブ画素１−２のサブ画素Ｗ、サブ画素２−２のサブ画素Ｒ、サブ画素３−２のサブ画素Ｇが、上記で例示した第１の画素の下側に配置されている。この第２の画素の下側には、第１の画素が配置されている。
【０１６２】
図１４Ａに示した例では、縦方向で見たときも、第１の画素と第２の画素が交互に配置されている。このように、図１４Ａに示した画素の配置は、第１の画素と第２の画素という異なるサブ画素の構成要素からなる２種類の画素が、縦方向、横方向に、交互に配置されている。
【０１６３】
また、図１４Ａ中において、サブ画素Ｒに注目すると、サブ画素Ｒは、例えば、サブ画素１−１、サブ画素２−２、サブ画素３−３、・・・といったように、図１４Ａ中、右斜め下方向に連続して設けられている。他の色のサブ画素も、サブ画素Ｒと同じく、右斜め下方向に連続して設けられている。このように、図１４Ａに示した画素の配置においては、同色のサブ画素が、右斜め下方向に連続して設けられている例を示したが、図１４Ｂに示すように、同色のサブ画素が、左斜め下方向に連続して設けられているようにしても良い。
【０１６４】
図１４Ｂに示した画素の配置は、図１４Ａに示した画素の配置と同じく、第１の画素と第２の画素が、縦方向および横方向に、それぞれ交互に配置されている。また、上記したように同色のサブ画素に注目したとき、その同色のサブ画素は、左斜め下方向に連続して設けられている。
【０１６５】
図１４Ａと図１４Ｂにそれぞれ示した画素の配置においては、第１の画素と第２の画素が規則的に均等に配置されている。よって、観測者に画質の良い２Ｄ画像を提供することができる。また、図１４Ａと図１４Ｂにそれぞれ示した画素の配置においては、観測者に画質の良い３Ｄ画像を提供することができる。
【０１６６】
図１４Ａと図１４Ｂにそれぞれ示した画素の配置においては、縦方向にも、第１の画素と第２の画素が交互に配置されているため、所定の１列を見たとき第１の画素を構成するサブ画素と第２の画素を構成するサブ画素が、配置されている。
【０１６７】
例えば図１４Ａの１列目を参照するに、１列目には、まず第１の画素を構成するサブ画素Ｒ、サブ画素Ｇ、サブ画素Ｂが、それぞれサブ画素１−４、サブ画素１−６、サブ画素１−５の位置に、それぞれ配置されている。また、第２の画素を構成するサブ画素Ｒ、サブ画素Ｇ、サブ画素Ｗが、サブ画素１−１、サブ画素１−３、サブ画素１−２の位置に、それぞれ配置されている。
【０１６８】
このような配置のため、例えば、図５Ｂに示した縦方向に直線状に設けられたスリットを有する視差バリア１２が用いられた場合に、そのスリット内に第１の画素と第２の画素を配置することが可能となる。また図６Ｂに示した、横方向に複数のサブ画素を含むだけの幅が設けられたスリットを有する視差バリア１２が用いられた場合にも、そのスリット内に第１の画素と第２の画素を配置することが可能となる。よって、観測者に画質の良い３Ｄ画像を提供することができる。
【０１６９】
図１４に示した画素の配置は、同色のサブ画素が、左斜め方向または右斜め方向に連続的に配置されている。例えば、図１４に示した画素の配置においては、サブ画素Ｒは、サブ画素１−１からサブ画素７−７にかけて、右斜め下方向に連続的に配置され、他の色のサブ画素も、同様に、右斜め下方向に連続的に配置されている。
【０１７０】
なお、画素の配置を変えることで、縦方向の開口部を、横方向の開口部とすることが可能である。
【０１７１】
［第８の画素の配置について］
表示部１１が、液晶材料が封止されている液晶ディスプレイである場合など、表示部１１は、２つの基板間に所定のギャップが維持され、その基板間に液晶材料が封止されている。２つの基板間のギャップを維持するために、スペーサが設けられている。このスペーサが存在するサブ画素とスペーサが存在しないサブ画素とでは光学特性が異なる。
【０１７２】
またスペーサは、一般に、周りの液晶配向を乱すため、黒表示のときに光漏れを起こし、ディスプレイ（図１においては表示部１１）のコントラストを落とす。また、ディスプレイ上に力が加わることで、スペーサがその対向にある（一般にはスペーサはカラーフィルタ側に設置しているため、アレイ側）配向膜を傷つけて光漏れを起こしたりするため、スペーサの光漏れ防止に、スペーサの周りをある程度の範囲で斜光することで防いでいる。そのため、スペーサ径より大きな範囲で斜光することとなる。
【０１７３】
そこで、スペーサについても考慮する必要がある。図１５を参照し、スペーサ、画素、および視差バリアの関係について説明する。なお、図１５を参照しての説明は、１画素が３個のサブ画素で構成されている例を挙げて説明する。すなわち、図１５Ａに示すように、例えば、サブ画素１−１のサブ画素Ｒ、サブ画素２−１のサブ画素Ｇ、およびサブ画素３−１のサブ画素Ｂの３個のサブ画素で、１個の画素が構成される。図１５Ａに示したサブ画素は、右斜め下方向に同一色が配置されている。
【０１７４】
図１５Ａ中、黒い小さな四角形は、スペーサを表す。なお、図１５では、スペーサの形を四角形で示したが、スペーサの形は四角形に限定されるわけではなく、多角形、円などでも勿論良い。図１５Ａに示した例では、サブ画素Ｒとサブ画素Ｇにまたがる位置であり、それらのサブ画素の上側にスペーサが配置されている。例えば、サブ画素１−１のサブ画素Ｒとサブ画素２−１のサブ画素Ｇにまたがる位置であり、上側の位置にスペーサが配置されている。同色のサブ画素が右斜め下方向に配置されているため、スペーサも、右斜め下方向に連続的に配置されている。
【０１７５】
この例示したサブ画素１−１のサブ画素Ｒとサブ画素２−１のサブ画素Ｇには、スペーサがあるが、サブ画素４−１のサブ画素Ｒとサブ画素５−１のサブ画素Ｇには、スペーサがない。スペーサがあるサブ画素１−１のサブ画素Ｒと、スペーサがないサブ画素４−１のサブ画素Ｒには、輝度に違いが生じる可能性がある。同じく、スペーサがあるサブ画素２−１のサブ画素Ｇと、スペーサがないサブ画素５−１のサブ画素Ｇには、輝度に違いが生じる可能性がある。
【０１７６】
スペーサに限らず、例えば、白色度の調整、トランジスタなどの回路の引きまわしのために、サブ画素の一部分が遮光される可能性がある。このように遮光されたサブ画素と、遮光されていないサブ画素とでは、輝度の違いなどの光学特性の違いがある。
【０１７７】
図１５Ａに示したような画素の配置とスペーサの配置を有する表示部１１上に、図１５Ｂに示した形状を有する視差バリア１２が設けられると、図１５Ｃに示したように、サブ画素からの光が観測者に供給されることになる。図１５Ｂに示した視差バリア１２は、直線形状のスリットを有する視差バリア１２である。
【０１７８】
図１５Ｃを参照するに、視差バリア１２の開口部３−１から、サブ画素３−１のサブ画素Ｂが見え、開口部３−２からサブ画素３−２のサブ画素Ｇが見え、開口部３−３からサブ画素３−３のサブ画素Ｒが見え、以降、この順序で、サブ画素の各色が見えるように構成されている。このように、１画素を構成する３色のサブ画素が、それぞれ均等に配置され、このスリットから見えるように構成されている。このスリットにおいては、サブ画素３−２のサブ画素Ｇとサブ画素３−３のサブ画素Ｒにスペーサが存在する。
【０１７９】
また、このスリットの図中右側に位置するスリットの開口部６−１から、サブ画素６−１のサブ画素Ｂが見え、開口部６−２からサブ画素６−２のサブ画素Ｇが見え、開口部６−３からサブ画素６−３のサブ画素Ｒが見え、以降、この順序で、サブ画素の各色が見えるように構成されている。このように、このスリットにおいても１画素を構成する３色のサブ画素が、それぞれ均等に配置され、このスリットから見えるように構成されている。このスリットにおいては、サブ画素６−５のサブ画素Ｇとサブ画素６−６のサブ画素Ｒにスペーサが存在する。
【０１８０】
このように、各スリットには、１画素を構成するサブ画素が、均等に配置され、かつ、スペーサが存在するサブ画素も均等に配置されている。よって、各スリットから見えるサブ画素における光学特性を均一とすることが可能となり、観測者に画質の良い３Ｄ画像を提供することが可能となる。また、サブ画素やスペーサの配置が、均一であるため、２Ｄ画像も、画質の良い状態で観測者に提供することができる。
【０１８１】
図１５に示した画素の配置とスペーサは、同色のサブ画素が配置されている方向と同一の方向にスペーサが配置されているといえる。すなわち、例えば、図１５Ａにおいて、サブ画素Ｒは、サブ画素１−１からサブ画素６−６の方向である右斜め下方向に連続的に配置され、その配置と同じ方向で、スペーサも配置されている。このような画素とスペーサとを配置することで、上記したように、２Ｄ画像も、画質の良い状態で観測者に提供することができる。
【０１８２】
また、２Ｄ画像も、画質の良い状態で観測者に提供することができるようにするために、図１５Ｂに示したような視差バリアが用いられる。すなわち、図１５Ｂに示した視差バリア１２の所定の開口部には、スペーサが均等に配置され、他の開口部との関係においてもスペーサが均等に配置されているように、開口部が設けられている直線形状の視差バリア１２である。このように構成することも可能である。
【０１８３】
［第９の画素の配置について］
図１６は、他のスペーサの配置について説明するための図である。図１６Ａに示した画素の配置は、図１５Ａに示した画素の配置と同じであるが、スペーサの位置が異なる。図１６Ａに示した画素の配置において、スペーサは、サブ画素１−１のサブ画素Ｒとサブ画素２−１のサブ画素Ｇにまたがる位置であり、上側の位置に配置されている。
【０１８４】
同様に、サブ画素７−１のサブ画素Ｒとサブ画素８−１のサブ画素Ｇ、サブ画素５−２のサブ画素Ｒとサブ画素６−２のサブ画素Ｇ、サブ画素３−３のサブ画素Ｒとサブ画素４−３のサブ画素Ｇ、サブ画素１−４のサブ画素Ｒとサブ画素２−４のサブ画素Ｇ、およびサブ画素７−４のサブ画素Ｒとサブ画素８−４のサブ画素Ｇのそれぞれにまたがる位置であり、上側の位置にスペーサが配置されている。
【０１８５】
このような画素の配置とスペーサの配置がなされた表示部１１上に、図１６Ｂに示した形状を有する視差バリア１２が設けられると、図１６Ｃに示したように、サブ画素からの光が観測者に供給されることになる。図１６Ｂに示した視差バリア１２は、ステップ形状のスリットを有する視差バリア１２である。この図１６Ｂに示した視差バリア１２は、図１２Ｂに示した視差バリア１２と同一の形状である。
【０１８６】
図１６Ｃを参照するに、視差バリア１２の１つのスリットを構成する開口部４−１から、サブ画素４−１のサブ画素Ｒが見え、開口部３−２から、サブ画素３−２のサブ画素Ｇが見え、開口部２−３から、サブ画素２−３のサブ画素Ｂが見え、開口部１−４から、サブ画素１−４のサブ画素Ｒが見えている。このスリット内では、サブ画素１−４のサブ画素Ｒにスペーサが配置されている。
【０１８７】
同様に、視差バリア１２の１つのスリットを構成する開口部８−１から、サブ画素８−１のサブ画素Ｇが見え、開口部７−２から、サブ画素７−２のサブ画素Ｂが見え、開口部６−３から、サブ画素６−３のサブ画素Ｒが見え、開口部５−４から、サブ画素５−４のサブ画素Ｇが見えている。このスリット内では、サブ画素８−１のサブ画素Ｇにスペーサが配置されている。
【０１８８】
図示していない他のスリットにおいても同様に、開口されている部分から、配置されているサブ画素が見えるように構成されている。
【０１８９】
所定の１視点から見たとき、図１６Ｃに示したようなサブ画素からの光が、観測者に提供される。このように、図１６Ｂに示した視差バリア１２には、視差毎の画像のカラーバランスのため、斜め方向にサブ画素Ｒ，Ｇ，Ｂといった１画素を構成するサブ画素が、均等になるように開口部（スリット）が設けられている。
【０１９０】
また、各スリットにスペーサが配置されているサブ画素が均等に配置されているため、各スリット内の光学特性が均一となり、観測者に画質の良い３Ｄ画像を提供することが可能となる。また、サブ画素やスペーサの配置が、均一であるため、２Ｄ画像も、画質の良い状態で観測者に提供することができる。
【０１９１】
図１６に示した画素の配置とスペーサは、図１５に示した画素の配置とスペーサと同じく、同色のサブ画素が配置されている方向と同一の方向にスペーサが配置されているといえる。すなわち、例えば、図１６Ａにおいて、サブ画素Ｒは、サブ画素１−１からサブ画素４−４の方向である右斜め下方向に連続的に配置され、その配置と同じ方向で、スペーサも所定の間隔を開けて配置されている。このような画素とスペーサとを配置することで、上記したように、２Ｄ画像も、画質の良い状態で観測者に提供することができる。
【０１９２】
また、２Ｄ画像も、画質の良い状態で観測者に提供することができるようにするために、図１６Ｂに示したような視差バリアが用いられる。すなわち、図１６Ｂに示した視差バリア１２の所定の開口部には、スペーサが均等に配置され、他の開口部との関係においてもスペーサが均等に配置されているように、開口部が設けられたステップ形状の視差バリア１２とされている。このように、構成することも可能である。
【０１９３】
［第１０の画素の配置について］
図１５または図１６に示した画素の配置におけるサブ画素は、縦方向に長い形状である場合を例示した。サブ画素の形状は、例えば、図１７に示すように、横方向に長い形状であるように構成することも可能である。
【０１９４】
図１７Ａに示した画素の配置は、縦方向に１画素を構成するサブ画素Ｒ、サブ画素Ｇ、サブ画素Ｂが配置されている。例えば、サブ画素１−１のサブ画素Ｒ、サブ画素１−２のサブ画素Ｇ、およびサブ画素１−３のサブ画素Ｂから１画素が構成されている。その下側にも同様に、サブ画素１−４のサブ画素Ｒ、サブ画素１−５のサブ画素Ｇ、およびサブ画素１−６のサブ画素Ｂから１画素が構成されている。
【０１９５】
図１７Ａに示した画素の配置において、スペーサは、図１６Ａに示した場合と同じく、サブ画素Ｒとサブ画素Ｇにまたがった位置に配置され、１列ずれた位置に配置されている。例えば、まずサブ画素１−１のサブ画素Ｒとサブ画素１−２のサブ画素Ｇにまたがる位置であり、右側の位置にスペーサが配置されている。
【０１９６】
このスペーサの右下に位置する画素に他のスペーサが配置されている。すなわち、サブ画素２−４のサブ画素Ｒとサブ画素２−５のサブ画素Ｇのところに、スペーサが配置されている。さらに、このスペーサの左下の画素と、右下の画素のそれぞれにもスペーサが配置されている。このようにスペーサは、互い違いに配置されている。
【０１９７】
このような画素の配置とスペーサの配置がなされた表示部１１上に、図１７Ｂに示した形状を有する視差バリア１２が設けられると、図１７Ｃに示したように、サブ画素からの光が観測者に供給されることになる。図１７Ｂに示した視差バリア１２は、直線形状のスリットを有する視差バリア１２である。この図１７Ｂに示した視差バリア１２は、図６Ｂに示した視差バリア１２と同一の形状である。
【０１９８】
図１７Ｂに示した視差バリア１２のスリット２０１は、２個のサブ画素にまたがり、１個のサブ画素分の幅を有するスリットであり、縦方向に開口されたスリットとされている。すなわち、図１７Ｂに示した例では、サブ画素１−１とサブ画素２−１の２個のサブ画素にまたがり、１個分のサブ画素の幅を有し、この２つのサブ画素の位置を先頭とする縦方向のスリット２０１とされている。同じ形状のスリット２０２が、スリット２０１の図中右側に設けられている。
【０１９９】
このような視差バリア１２が図１７Ａに示した画素の配置を有する表示部１１上に重ね合わされた場合、図１７Ｃに示すように、スリット２０１から、サブ画素１−１のサブ画素Ｒの半分、サブ画素２−１のサブ画素Ｒの半分、サブ画素１−２のサブ画素Ｇの半分、サブ画素２−２のサブ画素Ｇの半分、サブ画素１−３のサブ画素Ｂの半分、およびサブ画素２−３のサブ画素Ｂの半分が見えている。このように１画素を構成するサブ画素Ｒ、サブ画素Ｇ、サブ画素Ｂがスリット２０１から見える。
【０２００】
また、このスリット２０１内のサブ画素１−１のサブ画素Ｒ、サブ画素１−２のサブ画素Ｂ、サブ画素１−７のサブ画素Ｒ、およびサブ画素１−８のサブ画素Ｇには、それぞれスペーサが配置されている。
【０２０１】
同様に、スリット２０２から、サブ画素３−１のサブ画素Ｒの半分、サブ画素４−１のサブ画素Ｒの半分、サブ画素３−２のサブ画素Ｇの半分、サブ画素４−２のサブ画素Ｇの半分、サブ画素３−３のサブ画素Ｂの半分、およびサブ画素４−３のサブ画素Ｂの半分が見えている。このように１画素を構成するサブ画素Ｒ、サブ画素Ｇ、サブ画素Ｂがスリット２０２からも見える。
【０２０２】
また、このスリット２０２内のサブ画素３−１のサブ画素Ｒ、サブ画素４−２のサブ画素Ｂ、サブ画素３−７のサブ画素Ｒ、およびサブ画素４−８のサブ画素Ｇには、それぞれスペーサが配置されている。
【０２０３】
所定の１視点から見たとき、図１７Ｃに示したようなサブ画素からの光が、観測者に提供される。このように、図１７Ｂに示した視差バリア１２には、視差毎の画像のカラーバランスのため、縦方向にサブ画素Ｒ，Ｇ，Ｂといった１画素を構成するサブ画素が、均等になるように開口部（スリット）が設けられている。
【０２０４】
また、各スリットにスペーサが配置されているサブ画素が均等に配置されているため、各スリット内の光学特性が均一となり、観測者に画質の良い３Ｄ画像を提供することが可能となる。また、サブ画素やスペーサの配置が、均一であるため、２Ｄ画像も、画質の良い状態で観測者に提供することができる。
【０２０５】
図１７に示した画素の配置とスペーサは、同色のサブ画素が配置されている方向と同一の方向にスペーサが配置されているといえる。すなわち、例えば、図１７Ａにおいて、サブ画素Ｒは、サブ画素１−１からサブ画素１−４の方向である横方向に連続的に配置され、その配置と同じ方向で、スペーサも所定の間隔を開けて配置されている。このような画素とスペーサとを配置することで、上記したように、２Ｄ画像も、画質の良い状態で観測者に提供することができる。
【０２０６】
また、２Ｄ画像も、画質の良い状態で観測者に提供することができるようにするために、図１７Ｂに示したような視差バリアが用いられる。すなわち、図１７Ｂに示した視差バリア１２の所定の開口部には、スペーサが均等に配置され、他の開口部との関係においてもスペーサが均等に配置されているように、開口部が設けられた直線形状の視差バリア１２とされている。このように、構成することも可能である。
【０２０７】
［第１１の画素の配置について］
上記したサブ画素の形状の他に、デュアルドメイン構造を有するサブ画素がある。次に表示部１１が、ＦＦＳ（Fringe−Field Switching）方式のカラー液晶表示部である場合を例に挙げて説明する。図１８Ａは、表示部１１のサブ画素の構成と配置を示す平面図である。
【０２０８】
図１８Ａに示すように、各サブ画素Ｒ，Ｇ，Ｂ，Ｗは、長方形をその長手方向の中央で屈曲された形状とされている。なお、図１８Ａでは、屈曲された部分（屈曲部とする）を境に、上の画素と下の画素を分けて図示してある。
【０２０９】
図１８Ａに示した例では、１画素は、４個のサブ画素Ｒ、サブ画素Ｇ、サブ画素Ｂ、およびサブ画素Ｗで構成されるが、サブ画素は、屈曲部の上下にそれぞれ位置する２個の画素、仮に上サブ画素、下サブ画素と記載すると、次のような構成を取る可能性がある。
【０２１０】
この上サブ画素と下サブ画素が、それぞれ一体として構成され、同一色とされて構成される場合、それぞれ別体として構成され、同一色とされて構成される場合、それぞれ別体として構成され、異なる色として構成される場合とがある。以下の説明においては、上サブ画素と下サブ画素を、それぞれ別体として構成し、それぞれサブ画素と記述するが、上サブ画素と下画素が、一体として構成される場合にも、以下に説明する本技術は適用できる。
【０２１１】
サブ画素１−１のサブ画素Ｒは、右上がりに傾くように配置されている。この下に配置されているサブ画素１−２のサブ画素Ｇは、左上がりに傾くように配置されている。すなわち、屈曲部を境として上下に位置するそれぞれのサブ画素が、互いに逆向きに傾くように屈曲している。
【０２１２】
図１８Ａに示した画素配置においては、縦方向および横方向に配置されたサブ画素は、１画素を構成する３色が均等に配置された構成とされている。例えば、縦方向では、サブ画素１−１のサブ画素Ｒ、サブ画素１−２のサブ画素Ｇ、サブ画素１−３のサブ画素Ｂの３色が配置されることで、１画素を構成する色が配置されている。また例えば、横方向では、サブ画素１−１のサブ画素Ｒ、サブ画素２−１のサブ画素Ｇ、サブ画素３−１のサブ画素Ｂの３色が配置されることで、１画素を構成する色が配置されている。
【０２１３】
また、図中、一番上に示したサブ画素１−１乃至８−１は、右上方向に傾くように配置され、図中、上から２番目に示したサブ画素１−２乃至８−２は、左上方向に傾くように配置されている。以下、同様に、右上方向に傾くように配置されたサブ画素と左上方向に傾くように配置されたサブ画素とが交互に配置されている。
【０２１４】
また、図１８Ａに示したように、サブ画素は、行毎に１つずつずらした配置とされている。例えば、サブ画素Ｒに注目すると、サブ画素１−１に配置されているサブ画素Ｒの次の行のサブ画素Ｒは、サブ画素２−２に配置され、そのサブ画素２−２の次の行のサブ画素Ｒは、サブ画素３−３に配置されている。このように、縦方向で１つずつ下に移動するにともなって、横方向でも１つずつ右側に移動した位置に配置されている。
【０２１５】
図１８Ｂは、視差バリア１２の一例を示す図である。図１８Ｂに示した視差バリア１２は、開口部が直線形状のバリアである。図１８Ｂに示した視差バリア１２は、開口部１−１乃至１−６が連続的に設けられているため、直線状に開口された視差バリア１２とされている。同様に、開口部４−１乃至４−６が連続的に設けられることで、直線状に開口された開口部が視差バリア１２に設けられている。このように、視差バリア１２は、直線の開口部が平行して設けられたバリアとされている。
【０２１６】
なお、ここでは、直線形状であるとして説明を続けるが、サブ画素と同じく、右上方向や左上方向に傾く開口部が連続的に設けられる形状とすることも可能である。換言すれば、視差バリア１２の開口部は、サブ画素と同様にくの字形状にされていても良いし、図１８Ｂに示すような平行線でも良い。他の図面においても同様に、サブ画素と一致する形状の開口部とすることは可能である。
【０２１７】
表示装置１０は、図１８Ａに示したサブ画素の配置を有する表示部１１上に、図１８Ｂに示した視差バリア１２が重ねられることで構成されている。重ね合わされた状態を、図１８Ｃに示す。図１８Ｃを参照するに、視差バリア１２の開口部１−１から、サブ画素１−１のサブ画素Ｒが見え、開口部１−２から、サブ画素１−２のサブ画素Ｇが見え、開口部１−３から、サブ画素１−３のサブ画素Ｂが見えている。他の開口部においても同様に、開口されている部分から、配置されているサブ画素が見えるように構成されている。
【０２１８】
また、視差バリア１２の開口部１−１から、サブ画素１−１のサブ画素Ｒが見え、この開口部１−１と同一スリット内の開口部１−４から、サブ画素１−４のサブ画素Ｒが見えている。このサブ画素１−１のサブ画素Ｒとサブ画素１−４のサブ画素Ｒは、同色であるが、傾いている方向が異なるため、光学特性が異なる。他のサブ画素（色）においても、同一のスリット内に異なる光学特性のサブ画素が配置されている。
【０２１９】
所定の１視点から見たとき、図１８Ｃに示したようなサブ画素からの光が、観測者に提供される。このように、図１８Ｂに示した視差バリア１２には、視差毎の画像のカラーバランスのため、縦方向にサブ画素Ｒ，Ｇ，Ｂといった１画素を構成するサブ画素が、均等になるように開口部が設けられている。
【０２２０】
また横方向でサブ画素を見たとき、開口部１−１のサブ画素Ｒ、開口部４−１のサブ画素Ｒは、共に、右上方向に傾いたサブ画素であり、同一の特性を有するサブ画素である。同じように、開口部１−２のサブ画素Ｇ、開口部４−２のサブ画素Ｇは、共に、左上方向に傾いたサブ画素であり、同一の特性を有するサブ画素である。他の開口部においても同様に、横方向で近接する同色のサブ画素は、同じ特性のサブ画素とされている。
【０２２１】
すなわち、横方向で近接する直線形状の開口部内の同色のサブ画素は、同じドメインのサブ画素（同じ光学特性のサブ画素）が位置するように、視差バリア１２の開口部が設けられている。
【０２２２】
このように、視差バリア１２に設けられたスリットに配置されたサブ画素は、異なる光学特性のサブ画素が均一に配置されているため、３Ｄ画像を提供する際に、色の偏りがない画質の良い３Ｄ画像を観測者に提供することが可能となる。
【０２２３】
また、２Ｄ画像を観測者に提供する際も、図１８Ａに示した画素の配置の表示部１１で画像が提供されるため、この場合も、異なる光学特性のサブ画素が均一に配置されていることにより、色の偏りがない画質の良い２Ｄ画像を観測者に提供することが可能となる。
【０２２４】
このように、デュアルドメイン構造においても、同色のサブ画素が局在化しないように配置することで、２Ｄ画像、３Ｄ画像共に、色むらなどがない画質の良い画像を観測者に提供することが可能となる。
【０２２５】
図１８Ａに示したようなデュアルドメイン構造の画素の配置としては、図１８Ａに示した以外にも、上述した画素の配置を適用することができる。例えば、図５Ａに示した画素の配置を、図１８Ａに示したデュアルドメイン構造の画素の配置に適用し、図５Ｂに示した視差バリア１２を適用することも可能である。
【０２２６】
また例えば、図６Ａに示した画素の配置を、図１８Ａに示したデュアルドメイン構造の画素の配置に適用し、図６Ｂに示した視差バリア１２を適用することも可能である。また例えば、図７Ａに示した画素の配置を、図１８Ａに示したデュアルドメイン構造の画素の配置に適用し、図７Ｂに示した視差バリア１２を適用することも可能である。
【０２２７】
また例えば、図９Ａに示した画素の配置を、図１８Ａに示したデュアルドメイン構造の画素の配置に適用し、図５Ｂ乃至図７Ｂのいずれかに示した視差バリア１２を適用することも可能である。
【０２２８】
また例えば、図１０Ａ、図１０Ｂ、または図１１のいずれかに示した画素の配置を、図１８Ａに示したデュアルドメイン構造の画素の配置に適用し、図５Ｂ、図６Ｂのいずれかに示した視差バリア１２を適用することも可能である。
【０２２９】
また例えば、図１２Ａに示した画素の配置を、図１８Ａに示したデュアルドメイン構造の画素の配置に適用し、図１２Ｂに示した視差バリア１２を適用することも可能である。また例えば、図１３Ａに示した画素の配置を、図１８Ａに示したデュアルドメイン構造の画素の配置に適用し、図１３Ｂに示した視差バリア１２を適用することも可能である。
【０２３０】
また例えば、図１４Ａに示した画素の配置を、図１８Ａに示したデュアルドメイン構造の画素の配置に適用し、図５Ｂに示した視差バリア１２を適用することも可能である。
【０２３１】
さらに、図１５乃至図１７に示した画素配置のように、スペーサなどの配置を図１８Ａに示したデュアルドメイン構造の画素の配置に適用することも可能である。
【０２３２】
いずれの場合においても、２Ｄ画像を観測者に提供する際には、画素が局在化することなく均一に配置されている表示部１１により画像を提供することができるため、画質のよい画像を提供することができる。また、３Ｄ画像を観測者に提供する際にも、視差バリア１２に設けられた開口部（スリット）内に、画素が局在化することなく均一に配置され、また光学特性の異なる画素も均等に配置されている表示部１１と視差バリア１２により画像を提供することができるため、画質のよい画像を提供することができる。
【０２３３】
［表示装置の適用について］
上記した表示装置１０は、フラットパネル形状を有し、様々な電子機器、例えば、デジタルカメラ、ノート型パーソナルコンピュータ、携帯電話、ビデオカメラなどに適用可能である。電子機器に入力された、若しくは、電子機器内で生成した駆動信号を画像若しくは映像として表示するあらゆる分野の電子機器のディスプレイに適用することが可能である。以下このような表示装置が適用された電子機器の例を示す。電子機器は基本的に情報を処理する本体と、本体に入力する情報若しくは本体から出力された情報を表示する表示器とを含む。
【０２３４】
図１９は本技術が適用されたテレビジョン受像機であり、フロントパネル１１１２、フィルターガラス１１１３等から構成される映像表示画面１１１１を含み、本技術の表示装置１０を、その映像表示画面１１１１に用いることにより製造される。表示装置１０で構成される映像表示画面１１１１により、例えば、３Ｄ画像がユーザに提供される。
【０２３５】
また本技術は、ノート型パーソナルコンピュータにも適用できる。ノート型パーソナルコンピュータの本体には、文字等を入力するとき操作されるキーボードが含まれ、本体カバーには画像を表示する表示部が含まれ、本技術の表示装置１０を、その表示部に用いることによりノート型パーソナルコンピュータは製造される。表示装置１０で構成される表示部により、例えば、３Ｄ画像がユーザに提供される。
【０２３６】
また本技術は、携帯端末装置にも適用できる。携帯端末装置は、上側筐体、下側筐体、連結部（例えば、ヒンジ部）、ディスプレイ、サブディスプレイ、ピクチャーライト、カメラ等を含む。本技術の表示装置１０を、そのディスプレイやサブディスプレイに用いることにより携帯端末装置は製造される。表示装置１０で構成されるディスプレイやサブディスプレイにより、例えば、３Ｄ画像がユーザに提供される。
【０２３７】
また本技術は、ビデオカメラに適用できる。ビデオカメラは、本体部、前方を向いた側面に被写体撮影用のレンズ、撮影時のスタート／ストップスイッチ、モニター等を含み、本技術の表示装置１０を、そのモニターに用いることにより製造される。表示装置１０で構成されるモニターにより、例えば、３Ｄ画像がユーザに提供される。
【０２３８】
上記した実施の形態においては、表示装置１０を例に挙げて説明した。しかしながら、本技術は、表示装置１０などの表示装置に適用が限定されることを意味するわけではない。例えば、本技術は、有機ＥＬなどの他の表示装置にも適用できる。また、視野角を異ならせる画面が見えるマルチ画面表示ディスプレイなどにも本技術を適用することができる。
【０２３９】
なお、本技術の実施の形態は、上述した実施の形態に限定されるものではなく、本技術の要旨を逸脱しない範囲において種々の変更が可能である。
【０２４０】
なお、本技術は以下のような構成も取ることができる。
【０２４１】
（１）
複数の異なる色のサブ画素から構成される画素が配置されている表示部と、
前記表示部に積層され、前記表示部からの光線の方向を制御する光学素子と
を備え、
前記表示部の横方向または縦方向の少なくとも一方向において、前記サブ画素の全色の繰り返しがあり、近接する同色のサブ画素同士の距離がほぼ同一となる位置に前記サブ画素が配置されている
表示装置。
（２）
前記画素は、２×２で配置された４色のサブ画素から構成され、
前記画素単位で、行毎にサブ画素分だけずれた位置に配置されている
前記（１）に記載の表示装置。
（３）
前記光学素子は、前記表示部からの光線を所定の方向へ通過させる開口部を備え、前記開口部は、前記サブ画素とほぼ同一の幅または前記サブ画素のほぼ整数倍の幅を有する縦、横、または斜め方向の直線形状である
前記（２）に記載の表示装置。
（４）
前記表示部の縦方向において、前記サブ画素の全色の繰り返しがある場合、前記サブ画素の配置は、隣り合う列で異なる
前記（１）に記載の表示装置。
（５）
同色のサブ画素が、左斜め方向、または右斜め方向に連続的に配置されている
前記（１）に記載の表示装置。
（６）
前記画素は、２×２で配置された４色のサブ画素から構成され、
前記画素内で、前記サブ画素の色の配置が異なる第１の画素と第２の画素があり、前記第１の画素と前記第２の画素は、それぞれ、縦方向に配置され、横方向に交互に配置されている
前記（１）に記載の表示装置。
（７）
１画素を構成するサブ画素が、左斜め方向、または右斜め方向に連続的に配置されている
前記（１）に記載の表示装置。
（８）
前記光学素子は、前記表示部からの光線を所定の方向へ通過させる開口部を備え、前記開口部は、ステップ形状であり、
１つの開口部は、１または複数個のサブ画素の大きさとされている
前記（７）に記載の表示装置。
（９）
スペーサが、同色の前記サブ画素が配置されている方向と同一方向に配置されている
前記（１）に記載の表示装置。
（１０）
前記光学素子は、前記表示部からの光線を所定の方向へ通過させる開口部を備え、前記開口部に、前記スペーサが均等に配置されている
前記（９）に記載の表示装置。
（１１）
前記表示部の画素は、ディアルドメイン構造で配置されている
前記（１）に記載の表示装置。
（１２）
複数の異なる色のサブ画素から構成される画素が配置されている表示部と、
前記表示部に積層され、前記表示部からの光線の方向を制御する光学素子と
を備え、
前記表示部の横方向または縦方向の少なくとも一方向において、前記サブ画素の全色の繰り返しがあり、近接する同色のサブ画素同士の距離がほぼ同一となる位置に前記サブ画素が配置されている
電子装置。
【符号の説明】
【０２４２】
１０  表示装置，  １１  表示部，  １２  視差バリア
【図１】
0005806156.tif 000002
【図２】
0005806156.tif 000003
【図３】
0005806156.tif 000004
【図４】
0005806156.tif 000005
【図５】
0005806156.tif 000006
【図６】
0005806156.tif 000007
【図７】
0005806156.tif 000008
【図８】
0005806156.tif 000009
【図９】
0005806156.tif 000010
【図１０】
0005806156.tif 000011
【図１１】
0005806156.tif 000012
【図１２】
0005806156.tif 000013
【図１３】
0005806156.tif 000014
【図１４】
0005806156.tif 000015
【図１５】
0005806156.tif 000016
【図１６】
0005806156.tif 000017
【図１７】
0005806156.tif 000018
【図１８】
0005806156.tif 000019
【図１９】
0005806156.tif 000020